(57)【要約】コアネットワーク（例えば在圏ＧＰＲＳサポートノード、移動性管理エンティティ、ＣＩｏＴ在圏ゲートウエイノード）に対して移動局による例外報告の使用を表示するための無線アクセスネットワークノード（例えば基地局サブシステム、発展型ノードＢ）および方法が、ここに開示される。加えて、移動局による例外報告の使用の表示を受信するコアネットワークノード（例えば在圏ＧＰＲＳサポートノード、移動性管理エンティティ、ＣＩｏＴ在圏ゲートウエイノード）および方法がここに開示される。
2019505108.tif 000002
【特許請求の範囲】
【請求項１】
移動局（１０４2）およびコアネットワーク（ＣＮ）ノード（１０７）と通信するよう構成された無線アクセスネットワーク（ＲＡＮ）ノード（１０２2）であって、
プロセッサ(１３２2)と、
プロセッサ実行可能命令を格納するメモリ（１３４2）とを有し、前記プロセッサは前記メモリと連結して前記プロセッサ実行可能命令を実行し、それによって前記RＡＮノードが、
前記移動局からチャネル要求（２０２）を受信し（９０２）、
例外報告としてデータを送信するために無線リソースを前記移動局へと割り当て（９０４）、
割り当てられた前記無線リソース上で例外報告として送信されたデータ（２０６）を前記移動局から受信し（９０６）、
前記移動局により例外報告として送信されたデータおよび前記移動局が高優先度の例外報告としてデータを送信したことの表示を前記ＣＮノードへと送信する（９０８）、ＲＡＮノード。
【請求項２】
請求項１に記載のＲＡＮノードであって、前記表示は、前記移動局により送信された第１のプロトコルデータユニット（ＰＤＵ）を搬送する第２のＰＤＵに含まれた情報要素（ＩＥ）中で前記ＣＮノードへ送信される、ＲＡＮノード。
【請求項３】
請求項２に記載のＲＡＮノードであって、前記ＩＥは、前記移動局により送信された論理リンク制御ＬＬＣ  ＰＤＵを搬送するアップリンク（ＵＬ）−ＵＮＩＴＤＡＴＡ  ＰＤＵに含まれた例外報告フラグである、ＲＡＮノード。
【請求項４】
請求項３に記載のＲＡＮノードであって、前記ＬＬＣ  ＰＤＵは、ＥＣ−ＥＧＰＲＳパケットチャネル要求(EC-EGPRS PACKET CHANNEL REQUEST)メッセージ又は、チャネル要求を含むＥＣ−ＥＧＰＲＳパケットダウンリンクＡＣＫ／ＮＡＣＫ(EC-EGPRS PACKET DOWNLINK ACK/NACK)メッセージに応じて確立されたアップリンクＥＣ−ＥＧＰＲＳ一時ブロックフロー（EC-EGPRS Temporary Block Flow）（ＴＢＦ）を用いて前記移動局により送信された、ＲＡＮノード。
【請求項５】
請求項１に記載のＲＡＮノードであって、割り当てられた前記無線リソース上で例外報告として送信されたデータを前記移動局から受信するように動作可能な前記ＲＡＮノードは、前記移動局が高優先度の例外報告としてデータを送信したことの表示を前記移動局から受信する（９０７）ようにさらに動作可能な前記ＲＡＮノードを含み、前記表示は、前記移動局により送信された論理リンク制御（ＬＬＣ）プロトコルデータユニット（ＰＤＵ）に含まれた未使用のサービスアクセスポイント識別子（Service Access Point Identifier）（ＳＡＰＩ）値を用いてシグナリングされ、かつ前記表示は、前記ＣＮノードへと前記ＬＬＣ  ＰＤＵを搬送するアップリンク（ＵＬ）−ＵＮＩＴＤＡＴＡ  ＰＤＵ中で送信される、ＲＡＮノード。
【請求項６】
請求項１に記載のＲＡＮノードであって、前記表示は、前記ＣＮノードへと、アップリンク（ＵＬ）−ＵＮＩＴＤＡＴＡプロトコルデータユニット（ＰＤＵ）の情報要素（ＩＥ）中の未使用のコードポイントを用いて送信される、ＲＡＮノード。
【請求項７】
移動局（１０４2）およびコアネットワーク（ＣＮ）ノード（１０７）と通信するよう構成された無線アクセスネットワーク（ＲＡＮ）ノード（１０２2）における方法（９００）であって、
前記移動局からチャネル要求（２０２）を受信し（９０２）、
例外報告としてデータを送信するために無線リソースを前記移動局へと割り当て（９０４）、
割り当てられた前記無線リソース上で例外報告として送信されたデータ（２０６）を前記移動局から受信し（９０６）、
前記移動局により例外報告として送信されたデータおよび前記移動局が高優先度の例外報告としてデータを送信したことの表示を前記ＣＮノードへと送信する（９０８）、方法。
【請求項８】
請求項７に記載の方法であって、前記表示は、前記移動局により送信された第１のプロトコルデータユニット（ＰＤＵ）を搬送する第２のＰＤＵに含まれた情報要素（ＩＥ）中で前記ＣＮノードへ送信される、方法。
【請求項９】
請求項８に記載の方法であって、前記ＩＥは、前記移動局により送信された論理リンク制御ＬＬＣ  ＰＤＵを搬送するアップリンク（ＵＬ）−ＵＮＩＴＤＡＴＡ  ＰＤＵに含まれた例外報告フラグである、方法。
【請求項１０】
請求項９に記載の方法であって、前記ＬＬＣ  ＰＤＵは、ＥＣ−ＥＧＰＲＳパケットチャネル要求(EC-EGPRS PACKET CHANNEL REQUEST)メッセージ又は、チャネル要求を含むＥＣ−ＥＧＰＲＳパケットダウンリンクＡＣＫ／ＮＡＣＫ(EC-EGPRS PACKET DOWNLINK ACK/NACK)メッセージに応じて確立されたアップリンクＥＣ−ＥＧＰＲＳ一時ブロックフロー（EC-EGPRS Temporary Block Flow）（ＴＢＦ）を用いて前記移動局により送信された、方法。
【請求項１１】
請求項７に記載の方法であって、割り当てられた前記無線リソース上で例外報告として送信されたデータを前記移動局から受信することは、前記移動局が高優先度の例外報告としてデータを送信したことの表示を前記移動局からさらに受信すること（９０７）を含み、前記表示は、前記移動局により送信された論理リンク制御（ＬＬＣ）プロトコルデータユニット（ＰＤＵ）に含まれた未使用のサービスアクセスポイント識別子（Service Access Point Identifier）（ＳＡＰＩ）値を用いてシグナリングされ、かつ前記表示は、前記ＣＮノードへと前記ＬＬＣ  ＰＤＵを搬送するアップリンク（ＵＬ）−ＵＮＩＴＤＡＴＡ  ＰＤＵ中で送信される、方法。
【請求項１２】
請求項７に記載の方法であって、前記表示は、前記ＣＮノードへと、アップリンク（ＵＬ）−ＵＮＩＴＤＡＴＡプロトコルデータユニット（ＰＤＵ）の情報要素（ＩＥ）中の未使用のコードポイントを用いて送信される、方法。
【請求項１３】
無線アクセスネットワーク（ＲＡＮ）ノード（１０２2）および移動局（１０４2）と通信するよう構成されたコアネットワーク（ＣＮ）ノード（１０７）であって、
プロセッサ（１４６）と、
プロセッサ実行可能命令を格納するメモリ（１４８）とを有し、前記プロセッサは前記メモリと連結して前記プロセッサ実行可能命令を実行し、それによって前記ＣＮノードが、
前記移動局により例外報告として送信されたデータおよび前記移動局が高優先度の例外報告としてデータを送信したことの表示を前記ＲＡＮノードから受信し（１１０２）、
１以上の動作を前記表示の受信に応じて実行する（１１０４）、ＣＮノード。
【請求項１４】
請求項１３に記載のＣＮノードであって、前記表示は、前記移動局により送信された第１のプロトコルデータユニット（ＰＤＵ）を搬送する第２のＰＤＵに含まれた情報要素（ＩＥ）中で前記ＲＡＮノードから受信する、ＣＮノード。
【請求項１５】
請求項１４に記載のＣＮノードであって、前記ＩＥは、前記移動局により送信された論理リンク制御ＬＬＣ  ＰＤＵを搬送するアップリンク（ＵＬ）−ＵＮＩＴＤＡＴＡ  ＰＤＵに含まれた例外報告フラグである、ＣＮノード。
【請求項１６】
請求項１３に記載のＣＮノードであって、前記表示は、前記移動局により送信された論理リンク制御（ＬＬＣ）プロトコルデータユニット（ＰＤＵ）に含まれた未使用のサービスアクセスポイント識別子（Service Access Point Identifier）（ＳＡＰＩ）値を用いて前記ＲＡＮノードへとシグナリングされ、かつ前記表示は、前記ＬＬＣ  ＰＤＵを搬送するアップリンク（ＵＬ）−ＵＮＩＴＤＡＴＡ  ＰＤＵ中で前記ＲＡＮノードから受信される、ＣＮノード。
【請求項１７】
請求項１３に記載のＣＮノードであって、前記１以上の動作は、高優先度の例外報告として送信されたデータの量に関する情報を用いること（１１０４Ａ）を含み、事業者のポリシー又はビジネス上の契約に従って前記移動局に関連付けられた課金データレコード（ＣＤＲ）の調整を可能にする、ＣＮノード。
【請求項１８】
請求項１３に記載のＣＮノードであって、前記ＣＮノードは、ネットワーク（１００）内の前記RANノード及び前記移動局と通信するよう構成され、前記１以上の動作は、例外報告の使用が禁止された場合に、前記ネットワークから前記移動局の切り離しを開始すること（１１０４Ｂ）を含む、ＣＮノード。
【請求項１９】
請求項１３に記載のＣＮノードであって、前記ＣＮノードはさらに、もう一つのＣＮノード（１０７'）と通信するよう構成され、前記1以上の動作は、ＧＰＲＳトンネリングプロトコル（ＧＴＰ）を介して前記もう一つのＣＮノードへと、前記移動局が高優先度の前記例外報告としてデータを送信したことの表示を送信すること（１１０４Ｃ）を含む、ＣＮノード。
【請求項２０】
請求項１９に記載のＣＮノードであって、ＧＴＰを介する前記もう一つのＣＮノードへの前記表示の送信は、前記もう一つのＣＮノードに、事業者のポリシー及びビジネス上の契約に従って前記移動局と関連付けられた課金データレコード（Charging Data Records）（ＣＤＲ）を調整させる、ＣＮノード。
【請求項２１】
請求項１９に記載のＣＮノードであって、ＧＴＰを介する前記もう一つのＣＮノードへの前記表示の送信は、前記もう一つのＣＮノードに、ポリシー及び課金制御（Policy and Charging Control）（ＰＣＣ)へと前記移動局の例外報告の使用を報告させる、ＣＮノード。
【請求項２２】
無線アクセスネットワーク（ＲＡＮ）ノード（１０２2）および移動局（１０４2）と通信するよう構成されたコアネットワーク（ＣＮ）ノード（１０７）における方法であって、
前記移動局により例外報告として送信されたデータおよび前記移動局が高優先度の例外報告としてデータを送信したことの表示を前記ＲＡＮノードから受信し（１１０２）、
１以上の動作を前記表示の受信に応じて実行する（１１０４）、方法。
【請求項２３】
請求項２２に記載の方法であって、前記表示は、前記移動局により送信された第１のプロトコルデータユニット（ＰＤＵ）を搬送する第２のＰＤＵに含まれた情報要素（ＩＥ）中で前記ＲＡＮノードから受信する、方法。
【請求項２４】
請求項２３に記載の方法であって、前記ＩＥは、前記移動局により送信された論理リンク制御ＬＬＣ  ＰＤＵを搬送するアップリンク（ＵＬ）−ＵＮＩＴＤＡＴＡ  ＰＤＵに含まれた例外報告フラグである、方法。
【請求項２５】
請求項２２に記載の方法であって、前記表示は、前記移動局により送信された論理リンク制御（ＬＬＣ）プロトコルデータユニット（ＰＤＵ）に含まれた未使用のサービスアクセスポイント識別子（Service Access Point Identifier）（ＳＡＰＩ）値を用いて前記ＲＡＮノードへとシグナリングされ、かつ前記表示は、前記ＬＬＣ  ＰＤＵを搬送するアップリンク（ＵＬ）−ＵＮＩＴＤＡＴＡ  ＰＤＵ中で前記ＲＡＮノードから受信される、方法。
【請求項２６】
請求項２２に記載の方法であって、１以上の動作を実行することは、高優先度の例外報告として送信されたデータの量に関する情報を用いること（１１０４Ａ）を含み、事業者のポリシー又はビジネス上の契約に従って前記移動局に関連付けられた課金データレコード（ＣＤＲ）の調整を可能にする、方法。
【請求項２７】
請求項１３に記載の方法であって、前記ＣＮノードは、ネットワーク（１００）内の前記ＲＡＮノード及び前記移動局と通信するよう構成され、１以上の動作を実行することは、例外報告の使用が禁止された場合に、前記ネットワークから前記移動局の切り離しを開始すること（１１０４Ｂ）を含む、方法。
【請求項２８】
請求項１３に記載の方法であって、前記ＣＮノードはさらに、もう一つのＣＮノード（１０７'）と通信するよう構成され、1以上の動作を実行することは、ＧＰＲＳトンネリングプロトコル（ＧＴＰ）を介して前記もう一つのＣＮノードへと、前記移動局が高優先度の前記例外報告としてデータを送信したことの表示を送信すること（１１０４Ｃ）を含む、方法。
【請求項２９】
請求項２８に記載の方法であって、ＧＴＰを介する前記もう一つのＣＮノードへの前記表示の送信は、前記もう一つのＣＮノードに、事業者のポリシー及びビジネス上の契約に従って前記移動局と関連付けられた課金データレコード（Charging Data Records）（ＣＤＲ）を調整させる、方法。
【請求項３０】
請求項２８に記載の方法であって、ＧＴＰを介する前記もう一つのＣＮノードへの前記表示の送信は、前記もう一つのＣＮノードに、ポリシー及び課金制御（Policy and Charging Control）（ＰＣＣ)へと前記移動局の例外報告の使用を報告させる、方法。
【発明の詳細な説明】
【技術分野】
【０００１】
優先権の主張
本アプリケーションは、２０１６年１月７日出願の米国仮特許出願６２／２７６１５９号の優先権の利益を主張し、これによりその内容全体が、全ての目的のために本明細書に参照により編入される。
【０００２】
本開示は無線アクセスネットワークノード（例えば基地局サブシステム、発展型ノードB）およびコアネットワーク（例えば在圏GPRSサポートノード、移動性管理エンティティ、ＣＩｏＴ在圏ゲートウエイノード）に対して移動局による例外報告の使用を表示する方法に関する。加えて、本開示はコアネットワークノード（例えば在圏ＧＰＲＳサポートノード、移動性管理エンティティ、ＣＩｏＴ在圏ゲートウエイノード）および移動局による例外報告の使用の表示を受信する方法に関する。
【背景技術】
【０００３】
以下の略語および用語はこの機会に定義され、それらの少なくともいくつかが以下の本開示の説明の中で参照される。
３ＧＰＰ  第３世代パートナーシッププロジェクト
ＡＧＣＨ  アクセス許可チャネル
ＡＳ  アクセス層
ＡＳＩＣ  特定用途向け集積回路
ＢＬＥＲ  ブロック誤り率
ＢＳＳ  基地局サブシステム
ＢＳＳＧＰ  基地局サブシステムＧＰＲＳプロトコル
ＣＣ  カバレッジクラス
ＣＩＯＴ  物のセルラインターネット
ＣＮ  コアネットワーク
ＣＲ  変更要求
ＤＲＢ  データ無線ベアラ
ＤＬ  ダウンリンク
ＥＣ  拡張カバレッジ
ＥＣ−ＧＳＭ  拡張カバレッジ移動通信用グローバルシステム
ＥＣ−ＲＡＣＨ  拡張カバレッジ−ランダムアクセスチャネル
ｅＮＢ  発展型ノードＢ
ＤＬ  ダウンリンク
ＤＳＰ  デジタル信号プロセッサ
ＥＣＭ  ＥＰＳ接続管理
ＥＤＧＥ  ＧＳＭエボリューションのための拡張データレート
ＥＧＰＲＳ  拡張汎用パケット無線サービス
ＥＰＳ  発展型パケットシステム
Ｅ−ＵＴＲＡＮ  発展型ユニバーサル地上無線アクセス
ＧＳＭ  移動通信用グローバルシステム
ＧＥＲＡＮ  ＧＳＭ／ＥＤＧＥ無線アクセスネットワーク
ＧＧＳＮ  ゲートウエイＧＰＲＳサポートノード
ＧＰＲＳ  汎用パケット無線サービス
ＧＴＰ  ＧＰＲＳトンネリングプロトコル
ＧＴＰ−Ｃ  ＧＴＰ制御プレーン
ＧＴＰ−Ｕ  ＧＴＰユーザプレーン
ＨＡＲＱ  ハイブリッド自動再送要求
ＨＬＲ  ホームロケーションレジスタ
ＩＥ  情報要素（Information Element）
ＩｏＴ  物のインターネット
Ｋ＿ｅＮＢ  ｅＮＢセキュリティキー
ＬＬＣ  論理リンク制御
ＬＴＥ  ロングタームエボリューション  
ＭＡＣ  媒体アクセス制御
ＭＣＳ  変調および符号化方式
ＭＭＥ  移動性管理エンティティ
ＭＳ  移動局
ＭＴＣ  マシンタイプ通信
ＮＡＳ  非アクセス層
ＮＢ  ノードＢ
ＮＢ−ＩＯＴ  物の狭帯域インターネット
ＮＢ−ＬＴＥ  狭帯域ロングタームエボリューション
ＮＣＣ  次ホップ連鎖カウンタ（Next Hop Chaining Counter）
ＰＣＣ  ポリシー及び課金制御（Policy and Charging Control）
ＰＣＲＦ  ポリシー及び課金規則機能（Policy and Charging Rule Function）
ＰＤＮ  パケットデータネットワーク
ＰＤＵ  プロトコルデータユニット
Ｐ−ＧＷ  パケットデータネットワークゲートウエイ
ＱｏＳ  サービス品質
ＲＡＣＨ  ランダムアクセスチャネル
ＲＡＮ  無線アクセスネットワーク
ＲＡＴ  無線アクセス技術
ＲｏＨＣ  ロバストヘッダ圧縮
ＲＲＣ  無線リソース制御
Ｓ１ＡＰ  Ｓ１アプリケーションプロトコル
ＳＡＰＩ  サービスアクセスポイント識別子（Service Access Point Identifier）
ＳＧＳＮ  在圏ＧＰＲＳサポートノード
Ｓ−ＧＷ  在圏ゲートウエイ
ＳＭＳ  ショートメッセージサービス
ＴＤＭＡ  時分割多元アクセス
ＴＥＩＤ  トンネルエンドポイント識別子
ＴＲ  技術報告
ＴＳ  技術仕様
ＴＳＧ  技術仕様グループ
ＵＥ  ユーザ機器
ＵＬ  アップリンク
ＷＣＤＭＡ  広帯域符号分割多元アクセス
ＷｉＭＡＸ  マイクロ波アクセスのための全世界的相互運用
拡張カバレッジ：拡張カバレッジの一般原理は、制御チャネルについて、及びデータチャネルについてブラインド送信を用いて、着目チャネルについての目標ブロック誤り率性能（ＢＬＥＲ）を実現することである。加えて、データチャネルについては、ＭＣＳ−１（すなわち、現在ＥＧＰＲＳにおいてサポートされた最低の変調及び符号化方式（ＭＣＳ））を想定するブラインド送信の利用は、ＨＡＲＱ再送信と結合されてデータ送信性能の必要レベルを実現する。拡張カバレッジのサポートは相異なるカバレッジクラスを定義することで実現される。異なる数のブラインド送信はカバレッジクラスの各々と関連付けられ、拡張カバレッジは、複数のブラインド送信が必要とされるカバレッジクラスと関連付けられる（すなわち一つのブラインド送信が基準カバレッジとみなされる）。所与のカバレッジクラスのための合計のブラインド送信の数は、相異なる論理チャネルの間で相違してよい。
【０００４】
物のインターネット（ＩｏＴ）デバイス：物のインターネット（ＩｏＴ）は、電子機器、ソフトウェア、センサおよび接続するものが埋め込まれた物理オブジェクトすなわち「物」のネットワークであり、国際電気通信連合の世界標準イニシアチブの基盤に基づいて、物が、製造者やオペレータ及び／又は他の接続されたデバイスとデータを交換することを可能とする。物のインターネットにより、既存のネットワーク基盤にわたって遠隔的に物を検知でき、制御でき、物理的な世界とコンピュータに基づくシステムとの間のより直接的な統合のための機会を創出し、効率、精度及び経済的利益の改善をもたらす。それぞれの物は、その埋め込まれた計算システムを通して固有に識別できるが、既存のインターネット基盤の内部で相互運用できる。専門家は、ＩｏＴは、２０２０年にはほぼ５００億個の物から構成されると予測する。
【０００５】
物のセルラインターネット（ＣＩｏＴ）デバイス：ＣＩｏＴデバイスは、セルラネットワークを用いる接続を確立するＩｏＴデバイスである。
【０００６】
マシンタイプ通信（ＭＴＣ）デバイス：ＭＴＣデバイスは、デバイスとの人による相互作用が一般的に必要でなく、デバイスからの又はデバイスへのデータ送信が相当短い（例えば最大で数百オクテット）と予想されるある種のデバイスである。最小機能をサポートするMTCデバイスは、通常のセル輪郭を用いてのみ動作すると期待でき、そのようなものとして拡張カバレッジの概念をサポートしないが、その一方で拡張機能を有するＭＴＣデバイスは拡張カバレッジをサポートしてもよい。
【０００７】
第３世代パートナーシッププロジェクト（３ＧＰＰ）技術仕様グループ（ＴＳＧ）ＧＳＭ／ＥＤＧＥ無線アクセスネットワーク（ＧＥＲＡＮ）ミーティング＃６７において、「物のセルラインターネット（ＣＩｏＴ）のサポートのための拡張カバレッジＧＳＭ（Ｅ−ＧＳＭ）上の新しい作業項目」と表題を付けられた新しい作業項目が、カバレッジを２０ｄＢ改善し、バッテリ存続時間を改善し、デバイスの複雑さを軽減する意図で検討され、ＧＰ−１５１０３９（２０１５年８月１０−１４日付）で承認された。これによりＧＰ−１５１０３９の内容はすべての目的のために参照により本明細書に編入される。この作業は、「技術仕様グループＧＳＭ／ＥＤＧＥ無線アクセスネットワーク：超低複雑性および低スループットの物のインターネット（ＣＩｏＴ）のためのセルラシステムサポート（リリース１３）」（ここでは「セルラＩｏＴ研究報告」と呼ぶ）と表題をつけられた３ＧＰＰ技術報告（ＴＲ）４５．８２０  ｖ１３．１．０（２０１５−１１）の６．２章に記録された拡張カバレッジ移動通信用グローバルシステム（ＥＣ−ＧＳＭ）ソリューションに基づいており、その内容はすべての目的のために参照により本明細書に編入される。
【０００８】
３ＧＰＰ  ＴＳＧ  ＧＥＲＡＮミーティング＃６９においては、ＣＩｏＴのための無線アクセスを特定する目的で、発展型全地球無線アクセス（Ｅ−ＵＴＲＡ）の非下位互換変異型に大いに基づいて、「新作業項目：狭帯域ＩｏＴ（ＮＢ−ＩＯＴ）」と表題の付けられた新しい作業項目ＲＰ−１５１６２１（２０１５年８月１４−１６日付）が検討された。それは屋内カバレッジ、大量の低スループットデバイス、低遅延感受性、超低デバイスコスト、低デバイス電力消費および（最適化した）ネットワークアーキテクチャの改善を扱う。これによりＲＰ−１５１６２１の内容はすべての目的のために参照により本明細書に編入される。この作業項目のための基礎は、セルラＩｏＴ研究報告に記録された狭帯域ロングタームエボリューション（ＮＢ−ＬＴＥ）である。
【０００９】
セルラＩｏＴ研究報告の中で、例外報告に関連して１０秒の遅延要件があり、言い換えるとそれは、チャネル要求メッセージ内で、すなわち、一般的にデバイスまたはユーザ機器（ＵＥ）が、基地局システム（ＢＳＳ）／ＲＡＮにそれがリソース利用に及ぶときに例外報告を優先することを許すネットワークへとアクセスするときに、固有のコードポイントをサポートすることをもたらす。
【００１０】
例外報告の利用はＩｏＴデバイス／ＵＥで実行されるアプリケーションにより制御（たとえばトリガ）される。ＩｏＴデバイスのための一つの一般的なユースケースは、特別な水量測定などの測定である。そのようなデバイスは、低有線パケット転送を用いて非優先測定報告を規則的にサーバに送信し、例外（例えば水漏れ）がある場合にのみ、デバイスは高優先パケット転送を要求することで例外報告を送信するであろう。同様に、火災警報型デバイスが、非優先報告においてキープアライブメッセージをサーバに規則的に送信し、火災警報があるときに例外報告を送信するのみでよい。
【００１１】
既存のソリューションに伴う問題は、無線インターフェイスそれぞれから、例外報告の責任ある利用を保証する方法がないことである（それらが全体としてアプリケーションにより制御されるので）。換言すれば、ＧＰ−１５１１１１（２０１５年１１月２０日付）の変更要求（ＣＲ）４４．０１８−１０２７、ＥＣ−ＥＧＰＲＳの紹介と電力効率的な動作(リリース１３）（それによりその内容はそれを参照することで全目的のために本明細書に編入される。）で検討されたように、特定のデバイス及び／又はアプリケーションに関連付けられたトラフィックの優先度付けを保証する目的で、通常の報告のためにもアプリケーションが例外報告（高優先度）に関連付けられたコードポイントを利用するリスクがある。
【００１２】
無線インターフェイス上のネットワークリソースは乏しいリソースであるため、例外報告に関連付けられたコードポイントの悪用は、結局のところ、全てのタイプのトラフィックのための、すなわち通常の及び優先の（例外）報告に関連したトラフィックのためのネットワークサービスの遅延を招く。
【発明の概要】
【００１３】
ＲＡＮノード（例えばＢＳＳ、ｅＮＢ）、ＣＮノード（例えばＳＧＳＮ、ＭＭＥ、Ｃ−ＳＧＮ）および、前述した問題に対処するための様々な方法が独立請求項に記載されている。ＲＡＮノード（例えばＢＳＳ、ｅＮＢ）、ＣＮノード（例えばＳＧＳＮ、ＭＭＥ、Ｃ−ＳＧＮ）および、様々な方法の有利な実施形態は、従属請求項に記載されている。
【００１４】
一側面では、本開示は、移動局及びＣＮノードと通信するよう構成されたＲＡＮノードを提供する。前記ＲＡＮノードは、プロセッサと、プロセッサ実行可能命令を格納するメモリとを含み、前記プロセッサは前記メモリに連結して前記プロセッサ実行可能命令を実行し、それによって前記ＲＡＮノードは、第１の受信動作、割当動作、第２の受信動作、および送信動作を実行するよう動作できる。前記第１の受信動作において、前記ＲＡＮノードは前記移動局からチャネル要求を受信する。前記割当動作において、前記ＲＡＮノードは、例外報告としてデータを送信するために無線リソースを前記移動局へと割り当てる。前記第２の受信動作において、前記ＲＡＮノードは、前記移動局から、割り当て済み前記無線リソース上で例外報告として送信されたデータを受信する。前記送信動作において、前記ＲＡＮノードは、前記移動局により例外報告として送信されたデータおよび前記移動局が高優先度の例外報告としてデータを送信したことの表示を前記ＣＮノードへと送信する。前記ＲＡＮノードがこれらの動作を実行することの利点は、前記ＣＮノードが、移動局が前記無線インターフェイス上の高優先度の報告として処理されたデータをいつ送信したかを知らされ、それから前記ＣＮノードはこの情報を課金目的のために、または前記無線インターフェイスにわたって送信されたときに例外報告として処理されたアップリンクデータ送信の誤用を制限するための他の手段のために利用できることである。
【００１５】
別の側面では、本開示は、移動局及びＣＮノードと通信するよう構成されたＲＡＮノードにおける方法を提供する。前記方法は、第１の受信ステップ、割当ステップ、第２の受信ステップおよび送信ステップを含む。第１の受信ステップにおいては、前記移動局からのチャネル要求が受信される。前記割当ステップにおいては、例外報告としてデータを送信するために無線リソースが前記移動局へと割り当てられる。前記第２の受信ステップにおいては、割り当て済み前記無線リソース上で例外報告として送信されたデータが、前記移動局から受信される。前記送信ステップにおいては、前記移動局により例外報告として送信されたデータおよび前記移動局が高優先度の例外報告としてデータを送信したことの表示が前記ＣＮノードへと送信される。前記ＲＡＮノードにおいて前記方法のこれらのステップを実行することの利点は、前記ＣＮノードが、移動局が前記無線インターフェイス上で高優先度の報告として処理されたデータをいつ送信したかを知らされ、それから前記ＣＮノードはこの情報を課金目的のために、または前記無線インターフェイスを越えて送信されたときに例外報告として処理されたアップリンクデータ送信の誤用を制限するための他の手段のために利用できることである。
【００１６】
さらに別の側面では、本開示は、ＲＡＮノード及び移動局と通信するよう構成されたＣＮノードを提供する。前記ＣＮノードは、プロセッサと、プロセッサ実行可能命令を格納するメモリとを含み、前記プロセッサは前記メモリに連結して前記プロセッサ実行可能命令を実行し、それによって前記ＣＮノードは、受信動作および実行動作を実行するよう動作できる。前記受信動作において、前記ＣＮノードは、前記移動局により例外報告として送信されたデータおよび前記移動局が高優先度の例外報告としてデータを送信したことの表示を前記ＲＡＮノードから受信する。前記実行動作において、前記ＣＮノードは１以上の動作を前記表示の受信に応じて実行する。前記ＣＮノードがこれらの動作を実行することの利点は、前記ＣＮノードが、移動局が前記無線インターフェイス上の高優先度の報告として処理されたデータをいつ送信したかを知らされ、それから前記ＣＮノードはこの情報を課金目的のために、または前記無線インターフェイスを越えて送信されたときに例外報告として処理されたアップリンクデータ送信の誤用を制限するための他の手段のために利用できることである。
【００１７】
さらに他の側面では、本開示は、ＲＡＮノード及び移動局と通信するよう構成されたＣＮノードにおける方法を提供する。前記方法は受信ステップおよび実行ステップを含む。前記受信ステップにおいては、前記移動局により例外報告として送信されたデータおよび前記移動局が高優先度の例外報告としてデータを送信したことの表示が前記ＲＡＮノードから受信される。前記実行ステップにおいては、1以上の動作が前記表示の受信に応じて実行される。前記ＣＮノードにおいて前記方法のこれらのステップを実行することの利点は、前記ＣＮノードが、移動局が前記無線インターフェイス上の高優先度の報告として処理されたデータをいつ送信したかを知らされ、それから前記ＣＮノードはこの情報を課金目的のために、または前記無線インターフェイスを越えて送信されたときに例外報告として処理されたアップリンクデータ送信の誤用を制限するための他の手段のために利用できることである。
【００１８】
詳細な説明、図面および引き続くすべての特許請求の範囲において、本開示の追加的な側面が一部においては説明され、一部においては詳細な説明から導かれる、すなわち本発明の実践により知ることができる。前述した一般的な説明および引き続く詳細な説明の両方が例および説明にすぎず、本開示を制限しないことは理解されるはずである。
【図面の簡単な説明】
【００１９】
以下の詳細な説明を、添付図面と併せて参照することにより本開示をより完全に理解できる。
【図１】図１は、本開示の一実施形態に従って構成された、ＣＮノードと複数のＲＡＮノードと複数の移動局とを含む例示的な無線通信ネットワークの図である。
【図２】図２は、本開示の実施形態に従い、移動局により、例外報告の利用をＣＮノードに対して表示することを説明する信号フロー図である。
【図３】図３は、Ｓ１上でのデータストリームのためのトランスポートネットワーク層の説明である。
【図４】図４は、ＧＴＵヘッダの概略の説明である。
【図５】図５は、本開示の実施形態に従う、提案した新しいＩＥを付加した「ＲＲＣ再開」手続きの説明である。
【図６】図６は、本開示の実施形態に従う、提案した修正版「アクセスベアラ解放」手続きの説明であり、ここにおいてＭＭＥはＳ−ＧＷに、カウントを開始する最後の要求をＭＭＥから受信して以来移動局から受信したカウント済みデータ量を報告することを要求する。
【図７】図７は、本開示の実施形態に従う、提案した新しいＩＥを付加した「初期ＵＥメッセージ」メッセージの説明である。
【図８】図８は、本開示の実施形態に従う、提案した新しいＩＥを付加した「アップリンクＮＡＳ転送」メッセージの説明である。
【図９】図９は、本開示の実施形態に従う、ＲＡＮノードに実装された方法のフローチャートである。
【図１０】図１０は、本開示の実施形態に従って構成されたＲＡＮノードの構造を説明するブロック図である。
【図１１】図１１は、本開示の実施形態に従う、ＣＮノードに実装された方法のフローチャートである。
【図１２】図１２は、本開示の実施形態に従って構成されたＣＮノードの構造を説明するブロック図である。
【発明を実施するための形態】
【００２０】
ここにはまず、本開示の実施形態に従う、ＣＮノード(例えばＳＧＳＮ、ＭＭＥ、Ｇ−ＳＧＮ）と、複数のＲＡＮノード（例えばＢＳＳ、ｅノードＢ）と、複数の移動局（例えば無線デバイス、ＭＴＣデバイス、ＣＩｏＴデバイス）を含む例示的な無線通信ネットワークを説明するための検討が提供される（図１参照）。次に、ＲＡＮノード（例えばＢＳＳ、ｅノードＢ）が、ＣＮノード(例えばＳＧＳＮ、ＭＭＥ、Ｇ−ＳＧＮ）に対して、移動局（例えば無線デバイス、ＭＴＣデバイス、ＣＩｏＴデバイス）による例外報告の利用を表示するために利用可能な様々な技術を開示するための、および、ＣＮノード(例えばＳＧＳＮ、ＭＭＥ、Ｇ−ＳＧＮ）が、前記表示を受信してその表示の受信に応じて１以上の動作を実行するために利用可能な様々な技術を開示するための検討が提供される(図２−８参照）。その後で、本開示の別の実施形態に従う、ＲＡＮノード（例えばＢＳＳ、ｅノードＢ）およびＣＮノード(例えばＳＧＳＮ、ＭＭＥ、Ｇ−ＳＧＮ）の基本機能性-構成を説明するための検討が提供される（図９−１２参照）。
【００２１】
代表的な無線通信ネットワーク１００
図１を参照すると、本開示に従う代表的な無線通信ネットワーク１００が説明されている。無線通信ネットワーク１００は、コアネットワーク１０６（少なくとも一つのＣＮノード１０７を含む）と、複数の移動局１０４1、１０４2、１０４3、...、１０４nに連結する複数のＲＡＮノード１０２1及び１０２2（２つだけ示す）を含む。無線通信ネットワーク１００はまた多くの公知の要素を含むが、明晰さのために、本開示の特徴を説明するために必要な要素のみをここでは説明する。さらに、無線通信ネットワーク１００は、ここでは、ＧＳＭ／ＥＧＰＲＳ無線通信ネットワーク１００であるとして説明され、それはまたＥＤＧＥ無線通信ネットワーク１００としても知られる。しかしながら、当業者は、ＧＳＭ／ＥＧＰＲＳ無線通信ネットワーク１００に適用される本開示の技術が一般的には、例えばＥＧ−ＧＳＭ、ＷＣＤＭＡ、ＬＴＥ、ＷｉＭＡＸシステムを含む他のタイプの無線通信システムに適用可能であることを容易に理解するであろう。
【００２２】
無線通信ネットワーク１００は、移動局１０４1、１０４2、１０４3、...、１０４nへのネットワークアクセスを提供するＲＡＮノード１０２1及び１０２2（無線アクセスノード−２つだけ示す）を含む。この例では、ＲＡＮノード１０２1は移動局１０４1へのネットワークアクセスを提供しており、一方、ＲＡＮノード１０２2は移動局１０４2、１０４3、...、１０４nへのネットワークアクセスを提供している。ＲＡＮノード１０２1及び１０２2はコアネットワーク１０６（例えばＳＧＳＮコアネットワーク１０６）と、とりわけＣＮノード１０７（例えばＳＧＳＮ１０７）とに接続されている。コアネットワーク１０６は、インターネットなどの外部のパケットデータネットワーク（ＰＤＮ）１０８とサーバ１１０（１つだけ示す）とに接続されている。移動局１０４1、１０４2、１０４3、...、１０４nは、コアネットワーク１０６および／またはＰＤＮ１０８に接続された１以上のサーバ１１０（１つだけ示す）と通信できる。
【００２３】
移動局１０４1、１０４2、１０４3、...、１０４nは、一般的に、無線通信ネットワーク１００に所属するエンド端末（ユーザ）を参照でき、ＭＴＣデバイス（例えばスマートメータ）又は非ＭＴＣデバイスのどちらでも参照できる。さらに、用語「移動局」は一般的に、その用語が３ＧＰＰにより使用されているために、用語移動デバイスまたは無線デバイス、「ユーザ機器」、ＵＥと同義であることを意図しており、端末およびセルフォン、スマートフォン、セルラＩｏＴデバイス、ＩｏＴデバイス、無線付きパーソナルデジタルアシスタントなどのスタンドアロンの移動局と、パーソナルコンピュータや電子メータなどの他の電子デバイスに取り付け、または挿入するために設計された無線カードまたはモジュールとを含む。
【００２４】
同様に、コンテクストが明瞭にそのほかを示していない限り、用語ＲＡＮノード１０２1及び１０２2（無線アクセスノード１０２1及び１０２2）は、ここでは最も一般的な意味で使用され、無線通信ネットワーク１００内の基地局、無線アクセスノード、または無線アクセスポイントを示し、かつ、物理的に区別できる無線ネットワークコントローラにより制御されるＲＡＮノード１０２1及び１０２2および、ロングタームエボリューション（ＬＴＥ）ネットワーク内のいわゆる発展型ノードＢ（ｅノードＢ）などのより自律的なアクセスポイントを指してもよい。
【００２５】
各移動局１０４1、１０４2、１０４3、...、１０４nは、ＲＡＮノード１０２1および１０２2と通信するためのトランシーバ回路１１０1、１１０2、１１０3、...、１１０nと、トランシーバ回路１１０1、１１０2、１１０3、...、１１０nから送信される信号およびトランシーバ回路１１０1、１１０2、１１０3、...、１１０nにより受信される信号を処理し、対応する移動局１０４1、１０４2、１０４3、...、１０４nの動作を制御するための処理回路１１２1、１１２2、１１２3、...、１１２nを含んでよい。トランシーバ回路１１０1、１１０2、１１０3、...、１１０nは、送信機１１４1、１１４2、１１４3、...、１１４nと受信機１１６1、１１６2、１１６3、...、１１６nとを含んでよく、それらは、任意の標準（例えばＧＳＭ／ＥＤＧＥ標準およびＥＣ−ＧＳＭ標準）に従って動作してよい。処理回路１１２1、１１２2、１１２3、...、１１２nは、プロセッサ１１８1、１１８2、１１８3、...、１１８nと、対応する移動局１０４1、１０４2、１０４3、...、１０４nの動作を制御するためのプログラムコードを格納するためのメモリ１２０1、１２０2、１２０3、...、１２０nとを含んでよい。プログラムコードはこの後で説明する手続きを実行するためのコードを含んでよい。
【００２６】
各ＲＡＮノード１０２1及び１０２2（無線アクセスノード１０２1及び１０２2）（例えばＢＳＳ１０２、ｅＮＢ１０２）は、移動局１０４1、１０４2、１０４3、...、１０４nと通信するためのトランシーバ回路１２２1及び１２２2と、トランシーバ回路１２２1及び１２２2から送信される信号およびトランシーバ回路１２２1及び１２２2により受信される信号を処理し、対応するRANノード１０２1及び１０２2の動作を制御するための処理回路１２４1及び１２４2と、コアネットワーク１０６と通信するためのネットワークインターフェイス１２６1及び１２６2とを含んでよい。トランシーバ回路１２２1及び１２２2は、送信機１２８1及び１２８2と受信機１３０1及び１３０2とを含んでよく、それらは、任意の標準（例えばＧＳＭ／ＥＤＧＥ標準およびＥＣ−ＧＳＭ標準）に従って動作してよい。処理回路１２４1及び１２４2は、プロセッサ１３２1及び１３２2と、対応するＲＡＮノード１０２1及び１０２2の動作を制御するためのプログラムコードを格納するためのメモリ１３４1及び１３４2とを含んでよい。プログラムコードはこの後で説明する手続きを実行するためのコードを含んでよい。
【００２７】
ＣＮノード１０７（例えばＳＧＳＮ１０７、ＭＭＥ１０７、Ｃ−ＳＧＮ１０７、ＧＧＳＮ１０７'、Ｓ−ＧＷ１０７'、Ｐ−ＧＷ１０７'）は、ＲＡＮノード１０２1及び１０２2と通信するためのトランシーバ回路１３６と、場合によっては１以上のＣＮノード１０７と、トランシーバ回路１３６から送信される信号およびトランシーバ回路１３６により受信される信号を処理し、ＣＮノード１０７の動作を制御するための処理回路１３８と、ＲＡＮノード１０２1及び１０２2と通信するためのネットワークインターフェイス１４０とを含んでよい。トランシーバ回路１３６は、送信機１４２と受信機１４４とを含んでよく、それらは、任意の標準（例えばＧＳＭ／ＥＤＧＥ標準およびＥＣ−ＧＳＭ標準）に従って動作してよい。処理回路１３８は、プロセッサ１４６と、ＣＮノード１０７の動作を制御するためのプログラムコードを格納するためのメモリ１４８とを含んでよい。プログラムコードはこの後で説明する手続きを実行するためのコードを含んでよい。
【００２８】
無線インターフェイス上の例外報告の使用を表示するための技術
一般的に、ここで説明するソリューションは、ＲＡＮノード１０２2が、例えば例外報告の使用を課金または例えばホームロケーションレジスタ（ＨＬＲ）における設定／許可にリンクするために、無線インターフェイス上の例外報告の使用についてＣＮノード１０７に通知するためである。
【００２９】
ＥＣ−ＧＳＭのためのソリューション
第１の実施形態において、在圏ＧＰＲＳサポートノード（ＳＧＳＮ）１０７（すなわちＣＮノード１０７）がＵＬ−ＵＮＩＴＤＡＴＡプロトコルデータユニット（ＰＤＵ）の修正を通して例外報告の使用を知らされ、それはＭＳ１０４2の論理リンク制御ＰＤＵ（ＬＬＣ  ＰＤＵ）及びそれに関連するＧｂ−インターフェイスにわたる無線インターフェイス情報を転送する。「技術仕様グループＧＳＭ／ＥＤＧＥ無線アクセスネットワーク；汎用パケット無線サービス（ＧＰＲＳ）；基地局システム（ＢＳＳ）−在圏ＧＰＲＳサポートノード（ＳＧＳＮ）；ＢＳＳ  ＧＰＲＳプロトコル（ＢＳＳＧＰ）（リリース１３）」と表題が付けられた３ＧＰＰ技術仕様（ＴＳ）４８．０１８  ｖ１３．０．０（２０１５−１２）（ここでは３ＧＰＰ  ＴＳ４８．０１８と呼ぶ）（その内容は、これにより全ての目的のために参照により本明細書に編入される）は、提案した修正前のテーブル１０．２．２にＵＬ−ＵＮＩＴＤＡＴＡの内容を説明する。
【００３０】
以下の修正済みのテーブル１０．２．２に示したように、ＵＬ−ＵＮＩＴＤＡＴＡ  ＰＤＵは更新され、新しい例外報告情報要素（ＩＥ）を含む。ＥＣ−ＧＳＭデバイス／ＭＳ１０４2が例外報告の目的でシステムにアクセスする場合にはいつでも、ＥＣ−ＳＧＭデバイス／ＭＳ１０４2は、高優先度の表示（すなわち例外報告）を含んでいるランダムアクセスチャネル（ＲＡＣＨ）要求を基地局サブシステム（ＢＳＳ）１０２2（すなわちＲＡＮノード１０２2）に送信する。これによりＢＳＳ１０２2は、この特定のチャネル要求に関連したリソースの割り当てを優先することができる。これはまた、ＥＣ−ＧＳＭデバイス／ＭＳ１０４2が、ＬＬＣ  ＰＤＵ内部に例外報告を含むアップリンクデータの送信時にはいつでも、ＢＳＳ１０２2が例外報告ＩＥを、対応するＵＬ−ＵＮＩＴＤＡＴＡ  ＰＤＵ（すなわちそのＬＬＣ  ＰＤＵを含んでいる）へと付加してよいことを意味しており、そのＵＬ−ＵＮＩＴＤＡＴＡ  ＰＤＵは、ＢＳＳ１０２2がＳＧＳＮ１０７に送信し、その結果ＳＧＳＮ１０７に、ＵＬ−ＵＮＩＴＤＡＴＡ  ＰＤＵが無線インターフェイス上の高優先度の報告として処理された報告を含むことを知らせるものである。
【００３１】
図２は、本開示の実施形態に従う、ＣＮノード１０７（例えばＳＧＳＮ１０７、ＭＭＥ１０７、Ｃ−ＳＧＮ１０７）に対して、ＭＳ１０４2（例えば無線デバイス１０４2、ＭＴＣデバイス１０４2、ＣＩｏＴデバイス1042）による例外報告の使用を表示することを説明する信号フロー図である。上記第１の実施形態はさらに図2を参照して説明される。具体的には、ステップ１において、ＲＡＮノード１０２2（例えばＢＳＳ１０２2、ｅＮＢ１０２2）が、ＭＳ１０４2から、チャネル要求である、またはチャネル要求を含むメッセージ２０２を受信する。チャネル要求はデータを例外報告として送信するために高優先度を表示してもよい。すなわち、注１に述べたように、データを送信するための高優先度の表示は、ＲＡＮノード１０２2がＭＳ１０４2から受信するメッセージ２０２に含まれていてもよい。ＭＳ１０４2は、このメッセージ２０２をＲＡＣＨまたはＥＣ−ＲＡＣＨ上でＲＡＮノード１０２2に送信してよい。いくつかの実施形態では、メッセージ２０２は、高優先度を表示するチャネル要求を含むＥＣ−ＥＧＰＲＳ  ＰＡＣＫＥＴ  ＣＨＡＮＮＥＬ  ＲＥＱＵＥＳＴメッセージまたはＥＣ−ＥＧＰＲＳ  ＰＡＣＫＥＴ  ＤＯＷＮＬＩＮＫ  ＡＣＫ／ＮＡＣＫメッセージである。
【００３２】
ステップ２において、例外報告としてデータ送信のために、ＲＡＮノード１０２2は無線リソース（例えばアップリンクＥＣ−ＥＧＰＲＳ一時ブロックフロー（ＴＢＦ））をＭＳ１０４2に、例えば割り当てメッセージ２０４を送信することで割り当てる。無線リソースの割り当てにおいて、例えば高優先度の表示がメッセージ２０２内に含まれている場合、ＲＡＮノード１０２2は、この特定のチャネル要求に関連した無線リソースの割り当てを優先する。
【００３３】
ステップ３において、ＲＡＮノード１０２2は、ＭＳ１０４2から例えばメッセージ２０６内で、割り当てられた無線リソース上で例外報告として送信されたデータを受信する。いくつかの実施形態において、ＭＳ１０４2は、ＭＳ１０４2により送信されたＥＣ−ＥＧＰＲＳ  ＰＡＣＫＥＴ  ＣＨＡＮＮＥＬ  ＲＥＱＵＥＳＴメッセージまたはＥＣ−ＥＧＰＲＳ  ＰＡＣＫＥＴ  ＤＯＷＮＬＩＮＫ  ＡＣＫ／ＮＡＣＫメッセージに応じて確立されたアップリンクのＥＣ−ＥＧＰＲＳ  ＴＢＦを用いて、ＬＬＣ  ＰＤＵ（すなわちメッセージ２０６）内に例外報告を含んでいるアップリンクデータを送信する。
【００３４】
ステップ４において、ＲＡＮノード１０２2は、ＣＮノード１０７へと、例えばメッセージ２０８内で、ＭＳ１０４2により例外報告として送信されたデータおよびＭＳ１０４2が高優先度の例外報告としてデータを送信したことの表示を送信する。ＲＡＮノード１０２2はＣＮノード１０７へと前記表示を送信するために複数の手段を用いることができる(注３参照）。上のように検討した第１の実施形態において、ＢＳＳ１０２2は例外報告ＩＥ（すなわちインジケータ）を対応するＵＬ−ＵＮＩＴＤＡＴＡ（すなわちメッセージ２０８）に付加し、それはまたアップリンクのＥＣ−ＥＧＰＲＳ  ＴＢＦを用いてＭＳ１０４2により送信されたＬＬＣ  ＰＤＵ（すなわちメッセージ２０６）も搬送する。ＢＳＳ１０２2は、ＵＬ−ＵＮＩＴＤＡＴＡ  ＰＤＵをＳＧＳＮ１０７に送信し、ＳＧＳＮ１０７に、ＵＬ−ＵＮＩＴＤＡＴＡ  ＰＤＵが、無線リソース上で高優先度の報告として処理された報告を含むことを知らせる。
【００３５】
【表１】
2019505108.tif 000003
【００３６】
注１：ＬＬＣ−ＰＤＵ長インジケータは０であり得る。
注２：ＩＭＳＩは利用可能であり、かつリダイレクトアテンプトフラグが存在するならば含まれるものとする。
注３：この要素は、コアネットワークが、ＤＬ＿ＵＮＩＴＤＡＴＡ内のリダイレクション表示ＩＥまたはリダイレクション完了ＩＥのどちらかに応答すべきことを表示する。
注４：もし受信したなら、未確認送信状態変数が、前のＤＬ＿ＵＮＩＴＤＡＴＡに含まれるものとする。
注５：外国ＴＬＬＩまたはランダムＴＬＬＩがＵＬ−ＵＮＩＴＤＡＴＡ  ＰＤＵに含まれているときに移動局がネットワーク共有をサポートする場合、選択されたＰＬＭＮ  ＩＤが含まれるものとする。そのような場合にはコモンＰＬＭＮ  ＩＤがセル識別名ＩＥ内に含まれることとする。
注６：これら二つのオプションのＩＥのうちの一つだけがメッセージ内に表れるものとする。
注７：このＩＥはＢＳＳが選択したＣＮオペレータを示す。ＢＳＳがＣＳ／ＰＳ調整拡張版をサポートする場合にのみ含まれる。
注８：このＩＥは、ＢＳＳがＣＳ／ＰＳ調整拡張版をサポートし、かつ移動局がＣＳ領域内の共有されたＣＮオペレータの一つによってサービスされる場合に含まれる。
【００３７】
３ＧＰＰ  ＴＳ  ４８．０１８における例外報告情報要素の一つのあり得る具現化を以下に示す。
【００３８】
１１．３．ｘｘｘ  例外報告
例外報告情報要素の目的は、ＳＧＳＮに、現在のＵＬ−ＵＮＩＴＤＡＴＡ  ＰＤＵが無線リソース上で高優先度の報告として処理された報告を含むことを知らせることである。
【００３９】
例外報告情報要素はテーブル１１．３．ｘｘｘ／３ＧＰＰ  ＴＳ  ４８．０１８に示すように符号化される。
【００４０】
【表２】
2019505108.tif 000004
【００４１】
第２の実施形態においては、未使用のサービスアクセスポイント識別子（ＳＡＰＩ）の値が、ＳＧＳＮ１０７（すなわちＣＮノード１０７）に、特定のＬＬＣ  ＰＤＵがユーザデータを含み且つ特に例外報告のために使用されることを知らせるために使用される。
【００４２】
−  ＳＧＳＮ１０７に例外報告の使用を知らせるためのＬＬＣヘッダ内の未使用のＳＡＰＩ値を使用することの一例は、以下のテーブル１に示される。ＬＬＣプロトコルおよび割り当て済みＳＡＰＩ値は、「技術仕様グループコアネットワークおよび用語；移動局−在圏ＧＰＲＳサポートノード（ＭＳ−ＳＧＳＮ）；論理リンク制御（ＬＬＣ）層仕様（リリース１３）」（ここでは３ＧＰＰ  ＴＳ  ４４．０６４）と表題の付けられた３ＧＰＰ  ＴＳ  ４４．０６４  ｖ１３．０．０（２０１５−１２）に詳述されている。その内容はこれによって全ての目的のために参照により本明細書に編入される。３ＧＰＰ  ＴＳ  ４４．０６４のテーブル２は、未使用のＳＡＰＩ値の使用が提案される以前のＳＡＰＩ値の割り当てを提供している。
【００４３】
−  ＳＡＰＩにより１６のアクセスポイントを特定できるが、今まで、８個のサービスアクセスポイントのみが定義されていた。
【００４４】
−  一つの提案は、未使用ＳＡＰＩ値（例えば下のテーブル１に説明したようにＳＡＰＩ１０１０）の一つを、現在のＬＬＣ  ＰＤＵが例外報告を搬送していることへと修正することである。
【００４５】
【表３】
2019505108.tif 000005
【００４６】
この第２の実施形態はさらに図２を参照して説明される。具体的には、ステップ３の注２が、表示が例外報告として送信されたデータと共に送信されてよいことを述べている。すなわち、ＲＡＮノード１０２2がＭＳ１０４2から、例えば割り当てられた無線リソース上で例外報告として送信されたデータをメッセージ２０６内で受信し、ＲＡＮノード１０２はまた（例えば同じメッセージ２０６内で）ＭＳ１０４2が高優先度の例外報告としてデータを送信したことの表示を受信してもよい。具体的には、その表示は、ＭＳ１０４2により送信されたＬＬＣ  ＰＤＵ内で未使用のＳＡＰＩ値を用いてシグナリングされ、その表示はそれからＲＡＮノード１０２2によりＣＮ１０７へと、ＬＬＣＰＤＵを搬送するＵＬ−ＵＮＩＴＤＡＴＡ  ＰＤＵ（例えばｍｅｓｓａｇｅ２０８）内で送信される。
【００４７】
第２の実施形態の変形である第３の実施形態においては、以前には未使用のＳＡＰＩ値とメッセージ２０２のチャネル要求との両方が、ＭＳ１０４2が例外報告としてデータを送信するための高優先度を表示するために使用される。その結果、高優先度の第１の表示は未使用のメッセージ２０２内部に含まれ（すなわち注１のように）、第２の表示は、例外報告として送信されたデータとともに送信され（すなわち注２のように）、この第２の表示はＭＳ１０４2により送信されたＬＬＣ  ＰＤＵに含まれた未使用のＳＡＰＩ値を用いてシグナリングされる。これにより、新しいＩＥ（例えば例外報告ＩＥ）が、ＵＬ−ＵＮＩＴＤＡＴＡ  ＰＤＵのために導入される必要がないか、または修正される必要がないため、より簡単にＲＡＮノード１０２2（例えばＢＳＳ１０２2）を実装できる。さらにＲＡＮノード１０２2が、無線リソース割り当てを優先させるときをそれでも知らされ、新しいＬＬＣ  ＳＡＰＩを介してＣＮノード１０７へと例外報告の使用の第２の表示をそれでもなお（暗黙裡に）中継する。第４の実施形態においては、既存のＵＬ  ＵＮＩＴＤＡＴＡ  ＰＤＵの任意のものの中の未使用のコードポイントが、ＳＧＳＮ１０７（すなわちＣＮ１０７）に、特定のＬＬＣ  ＰＤＵが、無線リソース上で例外報告として送信されたユーザデータを含むことを知らせるために使用される。
【００４８】
−  既存のＵＬ  ＵＮＩＴＤＡＴＡ  ＰＤＵ  ＩＥ内の未使用のコードポイントを使用することの一例を下に示す。ここで、上で参照した３ＧＰＰ  ＴＳ  ４８．０１８のテーブル１１．３．２８．ｂは、サービス品質（ＱｏＳ）プロファイルＩＥ内の有線フィールドの符号化のために更新され（例えば符号化１０１）、ＵＬ  ＵＮＩＴＤＡＴＡ  ＰＤＵが例外報告のために使用されていることを表示する。
【００４９】
【表４】
2019505108.tif 000006
【００５０】
いったんＣＮノード１０７が例外報告の使用を知らされれば、ＣＮノード１０７はこの情報を課金目的または、無線インターフェイスを越えて送信されたときに例外報告として処理されたアップリンクデータ送信の誤用を制限する他の手段のために使用できる。これは図２のステップ５に示され、そこでは例外報告の表示の受信に応じてＣＮノード１０７が１以上の動作を実行する。
【００５１】
第５の実施形態においては、ＳＧＳＮ１０７（すなわちＣＮノード１０７）が、例外報告として送信されるデータ量についての情報と共に例外報告使用の表示を使用し、考えられるビジネス上の契約を考慮して事業者のポリシーに従って課金データレコード（Charging Data Records）（ＣＤＲ）の調整を可能にする。これはステップ５Ａに示されている。
【００５２】
第６の実施形態においては、ＳＧＳＮ１０７（すなわちＣＮノード１０７）が、例えばビジネス上の契約または事業者のローカルポリシーにより例外報告の使用が禁止／不許可のときに、ポリシー上の行動を引き起こす（例えばデバイス／ＭＳ１０４2をネットワーク１００から切り離す）。これはステップ５Ｂに示されている。
【００５３】
第７の実施形態においては、ＳＧＳＮ１０７（すなわちＣＮノード１０７）が、ＧＰＲＳトンネリングプロトコル（ＧＴＰ）内、例えばＧＴＰユーザプレーン（ＧＴＰ−Ｕ）ヘッダエクステンション内に、搬送されるユーザプレーンが例外報告である場合に、例外報告表示を含む。これはステップ５Ｃに示されている。いくつかの実施形態においては、ＣＮノ−ド１０７が例外報告使用の表示を、ＧＴＰを介して他のＣＮノード１−７'へと送信でき、それはその表示の受信に応じて1以上の動作を実行する。これはステップ６に示され、そこでは表示はメッセージ２１０内で送信される。
【００５４】
第８の実施形態においては、ゲートウエイＧＰＲＳサポートノード（ＧＧＳＮ）１０７'／パケットデータネットワークゲートウエイ（Ｐ−ＧＷ）１０７'（すなわち他のＣＮノード１０７'）が、ビジネス上の契約または事業者のローカルポリシーに従ってＣＤＲを調整する。これはステップ６Ａに示されている。
【００５５】
第９の実施形態においては、ＧＧＳＮ１０７'／Ｐ−ＧＷ１０７'（すなわち他のＣＮノード１０７'）が、例以外報告の使用を、ポリシー及び課金制御（ＰＣＣ）アーキテクチャ（例えばポリシー及び課金規則機能（ＰＣＲＦ）へと報告し、そこではさらに指定された事業者のローカルポリシー依存動作が起動できる（例えばＱｏＳパラメータの変更または他の手続き）。これはステップ６Ｂに示されている。
【００５６】
例外報告使用の表示の受信に応じてＣＮノード１０７及び／又は他のＣＮノード１０７'により実行される可能性のある動作の多くの実施形態を図２に示し、また本開示で提供するが、本発明は、単にこれら開示された実施形態に制限されるだけではないことは理解されるはずである。むしろ、当業者は、無線インターフェイスを越えて送信されたときに例外報告として処理されたアップリンクデータ送信の誤用を制限するための他の手段を、説明した本開示から離れることなく考慮することができるであろう。
【００５７】
ＮＢ−ＩＯＴのためのソリューション
二つのソリューションが、ＣＩｏＴおよびＮＢＩＯＴのコンテクストにおいて３ＧＰＰリリース１３のための標準化作業下にある。「技術仕様グループサービス及びシステムアスペクト；物のセルラインターネットのためのアーキテクチャの拡張（リリース１３）」と表題の付けられた３ＧＰＰ  ＴＲ  ２３．７２０  ｖ１．２．０（２０１５−１１）（ここでは３ＧＰＰ  ＴＲ  ２３．７２０）を参照する（その内容はこれにより参照により全ての目的のために本明細書に編入される）。
【００５８】
−  ６．２節のソリューション２は、（ＩＰデータ、非ＩＰデータおよびショートメッセージサービス（ＳＭＳ）のための）まれな小データ送信をサポートするための標準化作業のための基礎と考えられる。ソリューション２のサポートはＵＥ／ＭＳおよびネットワークの両方にとって必須である。
【００５９】
−  ６．１８節のソリューション１８は、（ＩＰデータおよびＳＭＳのための）まれな小データ送信をサポートするための標準化作業のための基礎と考えられる。ソリューション１８のサポートはＵＥ／ＭＳおよびネットワークの両方にとってオプションである。ソリューション１８は他のソリューション（例えばソリューション１０、ソリューション１５）を採用して、非ＩＰデータのためのサポートを提供できる。
【００６０】
「ソリューション１８」のためのソリューション１
第１の実施形態においては、例外報告の使用を表示する新しい情報要素（ＩＥ）が、Ｓ１−Ｕインターフェイス上のＧＴＰ−Ｕヘッダエクステンション内のフリーのコードポイントを用いて追加され、搬送されたユーザプレーンが例外報告であることを示す。図３は、Ｓ１上でのデータストリームのためのトランスポートネットワーク層を示す。図４は、ＧＴＵヘッダの概略を示し、それは、「技術仕様グループコアネットワークおよび端末；汎用パケット無線システム（ＧＰＲＳ）トンネリングプロトコルユーザプレーン（ＧＴＰｖ１−Ｕ）（リリース１３）」と表題の付けられた３ＧＰＰ  ＴＳ  ２９．２８１  ｖ１３．０．０（２０１５−０９）（この内容はこれにより全ての目的のために参照によって本明細書に編入される）の図５．１．１として含まれている。
【００６１】
第２の実施形態においては、在圏ゲートウエイ（Ｓ−ＧＷ）１０７'（すなわちＣＮノード１０７'）が、例外報告を表示する情報を目標Ｐ−ＧＷ１０７'（すなわちもう一つのＣＮノード１０７'）へと、例えばＧＴＰ−Ｕヘッダエクステンションを用いて転送する。
【００６２】
第３の実施形態においては、Ｐ−ＧＷ１０７'（すなわちＣＮノード１０７'）が、例外報告として送信されるデータ量についての情報を使用し、考えられるビジネス上の契約を考慮して事業者のポリシーに従ってＣＤＲの調整を可能にする。
【００６３】
第４の実施形態においては、Ｐ−ＧＷ１０７'（すなわちＣＮノード１０７'）が、例外報告の使用をＰＣＣ（例えばＰＣＲＦ）へと報告し、そこでは事業者のローカルポリシー依存動作が起動できる（例えば、例外報告の使用が不許可／禁止される場合のQoSパラメータの変更または「ＵＥ切り離し」などのポリシー上の手続き）。
【００６４】
第５の実施形態においては、Ｓ−ＧＷ１０７'（すなわちもう一つのＣＮノード１０７'）が、例外報告の使用を移動管理エンティティ（ＭＭＥ）１０７（「Ｃ−ＳＧＮ」１０７）（すなわちＣＮノード１０７）へと報告し、ＣＤＲの調整を可能にする。
【００６５】
第６の実施形態においては、ＭＭＥ１０７（「Ｃ−ＳＧＮ」１０７）（すなわちＣＮノード１０７）が、事業者のローカルポリシー及び／又は加入データを考慮して、「ＵＥ切り離し」などのポリシー上の機能を起動する。
【００６６】
「ソリューション１８」のためのソリューション２
第１の実施形態において、発展型ノードＢ（ｅＮＢまたはｅノードＢ）１０２2（すなわちＲＡＮノード１０２2）が、「無線リソース制御（ＲＲＣ）再開」手続きの間に、新しい情報要素（ＩＥ）を新しいＳ１アプリケーションプロトコル（Ｓ１ＡＰ）メッセージ「Ｓ１ＡＰ−ＵＥコンテクストアクティブ」へと追加する。提案した新しいＩＥの追加前の「ＲＲＣ再開」手続きが、３ＧＰＰ  ＴＲ  ２３．７２０の図６．５．１．３−１に前に一時停止したＲＲＣ接続の再開として示されている。
【００６７】
図５に、提案した新しいＩＥの追加と共に「ＲＲＣ再開」手続きを示す。メッセージおよび手続きの最終的な定義は進行中のリリース１３標準化作業の間に決定されるであろう。ＵＥがＲＲＣアイドル状態からネットワークにアクセスするときに、ステップ１，２，３が、レガシーの手続きに続く。
【００６８】
４．メッセージ３（新しいＲＲＣ接続再開要求メッセージ）に、ＵＥが、その再開ＩＤ、認証トークン、ベアラＩｎｄおよび確立原因を含める。ｅＮＢが再開ＩＤを使用してＵＥを前に格納したＵＥのコンテクストに関連付ける。加えて、メッセージ３はまた、再開された格納したセキュリティコンテクストがユーザプレーンの暗号化のために使用される既存の仕様のように、メディアアクセス制御（ＭＡＣ）により多重化されたユーザプレーンを含むことができる。
【００６９】
注：認証トークンは、「技術仕様グループ無線アクセスネットワーク；発展型ユニバーサル地上無線アクセス（Ｅ−ＵＴＲＡ）；無線リソース制御（ＲＲＣ）；プロトコル仕様(リリース１３）」と表題の付けられた３ＧＰＰ  ＴＳ  ３６．３３１ｖ１３．０．０（２０１５−１２）（この内容はこれにより全ての目的のために参照によって本明細書に編入される）に記述されているように、ＲＲＣの再構築におけるＵＥの認証のための既存の手段に基づいてよい。ＲＲＣ再開におけるＵＥ認証のための最終的な手段が、必要であればＳＡ３に補助されたＲＡＮ  ＷＧ２により決定されるものとする。
【００７０】
５．ここでＲＲＣ接続再開完了として指定されたメッセージ４においては、ネットワークはどのデータ無線ベアラ（ＤＢＲ）が再開されるかを示す。さらに、メッセージは再開ＩＤ及び、適用可能であれば更新されたＬ２／１パラメータを含む。
【００７１】
６．ＵＥおよびｅＮＢは格納されたセキュリティコンテクストを再開する。
【００７２】
７．ｅＮＢ１０２2（すなわちＲＡＮノード１０２2）はＭＭＥ１０７（すなわちＣＮノード１０７）に、Ｓ１−ＡＰ  ＵＲコンテクストアクティブとして、ここで指定された新しいＳ１ＡＰメッセージ中でＵＥ状態変化を通知する。ＭＭＥにおける発展型パケットシステム（ＥＰＳ）接続管理（ＥＣＭ）がＥＣＭ−ＣＯＮＮＥＣＴＥＤ状態に入る。ＭＭＥは、ＵＥ１０４2（すなわちＭＳ１０４2）のための割り当て済みダウンリンク（ＤＬ）トンネルエンドポイント識別子（ＴＥＩＤ）に関する情報を、ｅＮＢ１０２2のためにＭＭＥ１０７が格納したそのｅＮＢ１０２2にＵＥが戻ることを識別する。
【００７３】
ｅＮＢ１０２2は、ＵＥ１０４2が、例えばステップ４で例外報告が送信されるべきであることをＲＲＣ層上で示した新しい情報要素／表示をメッセージに追加する。
【００７４】
８．ＭＭＥ１０７は、在圏ゲートウエイ（ＳＧＷ）１０７'（すなわちもう一つのＣＮノード１０７'）へと、パケットデータネットワーク（ＰＤＮ）接続ごとにベアラ修正要求(Modify Bearer Request）メッセージ（ｅＮＢアドレス、Ｓ１、承認済みＥＰＳベアラのためのＴＥＩＤ  （ＤＬ）、遅延ダウンリンクパケット通知要求(Dlay Downlink Packet Notification Request)、ＲＡＴタイプ）を送信する。ＳＧＷ１０７'が、アクセスベアラ修正要求(Modify Access Bearer Request）手続きをサポートし、かつＳＧＷ１０７'がＰＧＷ１０７'へとシグナリングを送信する必要がないならば、ＭＭＥ１０７は、ＵＥ１０４2についてのアクセスベアラ修正要求（承認済みEPSベアラのためのダウンリンクユーザプレーンのためのeノードBアドレス及びTEID、遅延ダウンリンクパケット通知要求）をＳＧＷ１０７'に送信してシグナリングを最適化する。ＳＧＷ１０７'はいまやＵＥ1042に対してダインリンクデータを送信することができる。ＳＧＷ１０７'は、ＵＥ1042が接続状態にあるとみなす。
【００７５】
９．ＳＧＷ１０７は'ステップ７への応答を提供する。
【００７６】
１０．ＭＭＥ１０７はステップ７を確認する。
【００７７】
１１．メッセージ4の送信に対する他の方法として、メッセージ３がユーザプレーンと、全てのユーザプレーンが送信されることの表示とを含むならば、ｅＮＢ１０２は、ＲＲＣ接続を中断し、暗黙的にユーザプレーンが成功裡に受信されたことを表示することができる。
【００７８】
第２の実施形態においては、ＭＭＥ１０７（「Ｃ−ＳＧＮ」１０７）（すなわちＣＮノード１０７）が、例外報告についての表示を、Ｐ−ＧＷ１０７'（すなわちもう一つのＣＮノード１０７'）へと、例えばＧＴＰ−Ｃメッセージを用いることで、ＧＴＰ制御プレーン（ＧTＰ−Ｃ）を用いて転送する。
【００７９】
第３の実施形態においては、Ｐ−ＧＷ１０７'（すなわちＣＮノード１０７'）が、例外報告として送信されるデータ量についての情報を使用し、考えられるビジネス上の契約を考慮して事業者のポリシーに従ってＣＤＲの調整を可能にする。
【００８０】
第４の実施形態においては、Ｐ−ＧＷ１０７'（すなわちＣＮノード１０７'）が、例外報告の使用をＰＣＣ（例えばＰＣＲＦ）へと報告し、そこでは事業者のローカルポリシー依存動作が起動できる（例えば、例外報告の使用が不許可の場合のQoSパラメータの変更または「ＵＥ切り離し」などのポリシー上の手続き）。
【００８１】
第５の実施形態においては、ＭＭＥ１０７（「Ｃ−ＡＳＧＮ」１０７）（すなわちＣＮノード１０７）が、事業者のローカルポリシー及び／又は加入データを考慮して、「ＵＥ切り離し」などのポリシー上の機能を起動する。
【００８２】
第６の実施形態においては、ＭＭＥ１０７（すなわちＣＮノード１０７）は、Ｓ−ＧＷ１０７'（すなわちもう一つのＣＮノード１０７'）に対して、新しい手続きまたは修正された「修正ベアラ」手続き（例えば図５の参照ステップ８および９）を用いて、Ｓ１１インターフェイス上で、アップリンク上のそのＵＥ１０４2から受信したデータ量を報告するよう要求する。
【００８３】
第７の実施形態においては、ＭＭＥ１０７（「Ｃ−ＳＮＧ」１０７）（すなわちＣＮノード１０７）は、Ｓ−ＧＷ１０７'（すなわちもう一つのＣＮノード１０７'）に対して、アップリンク上のＵＥ１０４2から受信しているデータ量を報告することを停止するよう要求する。
【００８４】
第８の実施形態（第６及び第７実施形態に代えて）においては、ＭＭＥ１０７（「Ｃ−ＳＮＧ」１０７）（すなわちＣＮノード１０７）は、「例外報告」を表示しているＳ１ＡＰ  ＵＥコンテクストアクティブを受信した際に、Ｓ−ＧＷ１０７'（すなわちもう一つのＣＮノード１０７'）に対して、アップリンク上のＵＥ１０４2から受信したデータ量をカウントすることを開始するよう要求する。
【００８５】
第９の実施形態（第６及び第７実施形態に代えて）においては、ＭＭＥ１０７（「Ｃ−ＳＮＧ」１０７）（すなわちＣＮノード１０７）は、「例外報告」を表示しているＳ１ＡＰ  ＵＥコンテクストアクティブの受信の後のＵＥ  コンテクストデアクティブ（３ＧＰＰ  ＴＲ  ２３．７２０参照）を受信した際に、Ｓ−ＧＷ１０７'に対して、ＭＭＥ１０７（「Ｃ−ＳＮＧ」１０７）からカウントを開始する最後の要求を受信して以来の、ＵＥ１０４2から受信したデータのカウント済みの量を報告するよう要求する。これは、Ｓ１１インターフェイスのための新しい手続きであり得るか、または修正された手続き「アクセスベアラ解放(Release Access Bearer)」に、例えば図６のステップ３および４に示されたように追加できる。提案した修正前の「アクセスベアラ解放」手続きは、上で参照した３ＧＰＰ  ＴＲ  ２３．７２０の図６．１８．１．３−１中のRRC接続の中断として示されている。
【００８６】
図６は提案した修正後の「アクセスベアラ解放」手続きを以下のように示す。
【００８７】
１．ネットワークはＲＲＣ接続を中断することを決定する。
【００８８】
２．ｅＮＢ１０２2は、新しいＳ１ＡＰメッセージを用いてＭＭＥ107に対して、ＵＥ１０４2のＲＲＣ接続が中断されることを表示する。ＭＭＥ１０７及びｅＮＢ１０２2はＳ１ＡＰの関連付けおよび関連するＵＥのコンテクストを格納する。ＭＭＥ１０７はＥＣＭ状態ＥＣＭ−ＩＤＬＥに入る。ＭＭＥ１０７は、ＵＥ１０４2及びｅＮＢ１０２2に関連付けられたＤＬ  ＴＥＵＤを格納する。
【００８９】
３．ＭＭＥ１０７は、アクセスベアラ解放要求（無線リンク表示の異常解放(Abnormal Release of Radio Link Indication)または「新たな原因」）メッセージを、ＵＥ１０４2のための全てのＳ１−Ｕベアラの解放を要求するＳＧＷ１０７'へと送信する。ＳＧＷ１０７'は、ＵＥ１０４2がアイドル状態にあるとみなす。
【００９０】
ＭＭＥ１０７は、「カウント中止」を表示し、ＳＧＷ１０７'に、カウントしたデータの量を提供するよう要求する。
注：アクセスベアラ解放要求メッセージが既存の原因値を含むかまたは新しい原因値を含むかはＣＴ４により判断される。
【００９１】
４．ＳＧＷ１０７'はステップ３への応答を提供する。
【００９２】
ＳＧＷ１０７'はカウントされたデータの量を提供する。
５．ＭＭＥ１０７はステップ2を確認する。
【００９３】
６．ＭＭＥ１０７は「ＥＣＭ−ＩＤＬＥ」状態に入る。
【００９４】
７．ｅＮＢ１０２2はＵＥ１０４2に対するＲＲＣ接続を中断する。中断されたＲＲＣ接続の後の再開において使用される識別子が提供され得る。ＵＥ１０４2及びｅＮＢ１０２2は関連するコンテクスト情報、すなわちＲＲＣ構成、ベアラ構成（ロバストヘッダ圧縮（ＲｏＨＣ）状態情報を含む）、アクセス層セキュリティコンテクスト（Access Stratum Security Context）及び適用可能な場合にはＬ２／１パラメータを格納する。このメッセージはまた、後の再開で使用されるＫ＿ｅＮＢセキュリティキーに関連付けられたセキュリティアルゴリズム構成および次ホップ連鎖カウンタ（Next Hop Chaining Counter:ＮＣＣ）を含む。
【００９５】
８．ＵＥ１０４2のＲＲＣ層はＲＲＣ−ＩＤＬＥ状態に入り、そこでは関連のアクセス層（ＡＳ）情報を格納し（Ｓ７）、ＵＥ１０４2の非アクセス層（ＮＡＳ）はＥＣＭ−ＩＤＬＥ状態に入り、そこではＮＡＳシグナリング接続が利用可能であることを知る。
【００９６】
「ソリューション2」のためのソリューション
第１の実施形態においては、ｅＮＢ１０２2（すなわちＲＡＮノード１０２2）は新しい情報要素を、例外報告を搬送するＮＡＳ  ＰＤＵがＳ１ＡＰインターフェイス（または修正したＳ１ＡＰインターフェイス）上でＭＭＥ１０７'（又は「Ｃ−ＳＧＮ」１０７）（すなわちもう一つのＣＮノード１０７'）へと送信される場合に使用されるＳ１ＡＰプロトコルに追加する。
【００９７】
この第１の実施形態においては、それは、初期レイヤ３のメッセージをＭＭＥ１０７へとＳ１インターフェイス上で送信するためにｅＮＢ１０２2により送信される「初期ＵＥメッセージ」メッセージであり、かつ、それは、図７に示したように、デバイス／ＭＳ１０４2から受信したＮＡＳ−ＰＤＵを含む。
【００９８】
提案した新しいＩＥの追加前の「初期ＵＥメッセージ」メッセージは、「技術仕様グループ無線アクセスネットワーク；発展型ユニバーサル地上無線アクセス（Ｅ−ＵＴＲＡＮ）；Ｓ１アプリケーションプロトコル（Ｓ１ＡＰ）（リリース１３）」と表題をつけられた３ＧＰＰ  ＴＳ  ３６．４１３．ｖ１３．１．０（２０１５−１２）（ここでは３ＧＰＰ  ＴＳ３６．４１３と呼ぶ）のセクション９．１．７．１に示されている（この内容はこれにより全ての目的のために参照によって本明細書に編入される）。図７に、提案した新しいＩＥの追加と共に「初期ＵＥメッセージ」メッセージを示す。
【００９９】
第２の実施形態においては、ｅＮＢ１０２2（すなわちＲＡＮノード１０２2）は新しい情報要素を、例外報告を搬送するＮＡＳ  ＰＤＵがＳ１ＡＰインターフェイス（または修正したＳ１ＡＰインターフェイス）上でＭＭＥ１０７'（又は「Ｃ−ＳＧＮ」１０７）（すなわちもう一つのＣＮノード１０７'）へと送信される場合に使用されるＳ１ＡＰプロトコルに追加する。
【０１００】
この第２の実施形態においては、それは、ｅＮＢ１０２2により送信される「アップリンクＮＡＳ転送(Uplink NAS Transport)」メッセージであり、図８に示すようにＳ１インターフェイス上でＮＡＳ情報を搬送するために使用される。提案した新しいＩＥの追加前の「アップリンクＮＡＳ転送」メッセージは、上で参照した３ＧＰＰ  ＴＳ３６．４１３のセクション９．１．７．３に示される。図８に、提案した新しいＩＥの追加と共に「アップリンクＮＡＳ転送」メッセージを示す。
【０１０１】
（例えば）ＲＡＮノード１０２2および（例えば）ＣＮノード１０７の基本機能性−構成
図９を参照すると、本開示の実施形態に従ってＭＳ１０４2（例えば無線デバイス１０４2、ＭＴＣデバイス１０４2、ＣＩｏＴデバイス１０４2）およびＣＮノード１０７（例えばＳＧＳＮ１０７、ＭＭＥ１０７、Ｃ−ＳＧＮ１０７）と通信するよう構成されたＲＡＮノード１０２2（例えばＢＳＳ１０２2、ｅＮＢ１０２2）に実装される方法９００のフローチャートがある。ステップ９０２において、ＲＡＮノード１０２2がＭＳ１０４2からチャネル要求２０２を受信する。いくつかの実施形態において、図２の注１で検討したように、チャネル要求２０２は例えば例外報告のようなデータを送信するための高優先度を表示してよい。
【０１０２】
ステップ９０４において、ＲＡＮノード１０２2は、例外報告としてデータを送信するために無線リソースをＭＳ１０４へと割り当てる。いくつかの実施形態、例えば図２の注１において、ＲＡＮノード１０２2が、チャネル要求２０２中の高優先度の表示の受信に応じて高優先度の例外報告としてのデータの送信のために、無線リソースをＭＳ１０４2に割りあてる。
【０１０３】
ステップ９０６において、ＲＡＮノード１０２2が、ＭＳ１０４2から、割り当て済み無線リソース上で例外報告として送信されたデータ２０６を受信する。いくつかの実施形態おいて、オプションのステップ９０７で、ＭＳ１０４2が、高優先度の例外報告としてデータを送信したことの表示が、ＲＡＮノード１０２2により、例外報告として送信されたデータ２０６と共に受信される。その表示は、ＭＳ１０４2により例外報告として送信されたデータ２０６を搬送する論理リンク制御（ＬＬＣ）ＰＤＵに含まれた未使用のサービスアクセスポイント識別子（ＳＡＩＰ）値を用いてシグナリングされる。
【０１０４】
ステップ９０８で、ＲＡＮノード１０２2は、ＣＮノード１０７へと、ＭＳ１０４2により例外報告として送信されたデータと、ＭＳ１０４2が高優先度の例外報告としてデータを送信したことの表示とを送信する。第１の実施形態において、その表示はＣＮノード１０７へと、ＭＳ１０４2により送信された第１のＰＤＵを搬送する第２のＰＤＵに含まれたＩＥ中で送信される。そのＩＥは、ＭＳ１０４2により送信されたＬＬＣ  ＰＤＵを搬送するＵＬ−ＵＪＮＩＴＤＡＴＡ  ＰＤＵに含まれた例外報告フラグ(Exception Report Flag)であってよい。ＬＬＣ  ＰＤＵは、ＥＣ−ＥＧＰＲＳパケットチャネル要求(EC-EGPRS PACKET CHANNEL REQUEST)メッセージ又は、チャネル要求を含むＥＣ−ＥＧＰＲＳパケットダウンリンクＡＣＫ／ＮＡＣＫ(EC-EGPRS PACKET DOWNLINK ACK/NACK)メッセージに応じて確立されたアップリンクＥＣ−ＥＧＰＲＳ一時ブロックフロー（EC-EGPRS Temporary Block Flow）（ＴＢＦ）を用いてＭＳ１０４2により送信されていてよい。もう一つの実施形態において、その表示はＣＮ１０７へとＵＬ−ＵＮＩＴＤＡＴＡ  ＰＤＵ  ＩＥ中の未使用のコードポイントを用いて送信される。例えば、その表示は、上で参照した３ＧＰＰ  ＴＳ４８．０１８のテーブル１１．３．２８．ｂの更新版に示されたように、ＱｏＳプロファイルＩＥのうちの優先(Precedence)フィールドの以前は未使用のコードポイント１０１を用いて送信されてよい。さらなる実施形態において、オプションのステップ９０７を参照して上で検討したように、表示は、ＭＳ１０４2により送信されたＬＬＣ  ＰＤＵ中の未使用のＳＡＰＩ値を用いてシグナリングされてよく、その表示は次にＲＡＮノード１０２2からＣＮ１０７へと、ＬＬＣ  ＰＤＵを搬送するＵＬ−ＵＮＩＴＤＡＴＡ  ＰＤＵ中で送信される。例えば、その表示は、テーブル１中の修正したＳＡＰＩ値の割り当てに示したように、以前は未使用のＳＡＰＩ値１０１０を用いてシグナリングされてよい。
【０１０５】
図１０を参照すると、本開示の実施形態に従う、例示的なＲＡＮノード１０２2（例えばＢＳＳ１０２2、ｅＮＢ１０２2）の構造を説明するブロック図がある。一実施形態において、ＲＡＮノード１０２2は第１の受信モジュール１００２と、割り当てモジュール１００４と第２の受信モジュール１００６と送信モジュール１００８とを含む。第１の受信モジュール１００２は、ＭＳ１０４2（例えば無線デバイス１０４2、ＭＴＳデバイス１０４2、ＣＩｏＴデバイス１０４2）から、チャネル要求２０２を受信するよう構成される。割当モジュール１００４は、例外報告としてデータを送信するために無線リソースをＭＳ１０４へと割り当てるよう構成される。第２の受信モジュール１００６は、ＭＳ１０４2から、割り当てられた無線リソース上で例外報告として送信されたデータ２０６を受信するよう構成される。送信モジュール１００８は、ＣＮノード１０７（ＳＧＳＮ１０７、ＭＭＥ１０７、Ｃ−ＳＧＮ１０７）へと、ＭＳ１０４2により例外報告として送信されたデータと、ＭＳ１０４2が高優先度の例外報告としてデータを送信したことの表示とを送信する。加えて、ＲＡＮノード１０２2はまた、公知の他のコンポーネント、モジュールまたは構造を含んでよいことに注意すべきであるが、明瞭さのために、本開示の特徴を説明するために必要なコンポーネント、モジュールまたは構造のみがここでは説明される。
【０１０６】
当業者が理解するであろうように、上述したＲＡＮノード１０２2のモジュール１００２，１００４，１００６，１００８は、適切な専用回路として別々に実装されてよい。さらに、モジュール１００２，１００４，１００６，１００８は、機能的な結合または分離を通して任意の数の専用回路を用いて実施することもできる。いくつかの実施形態においては、モジュール１００２，１００４，１００６，１００８は、ひとつの特定用途集積回路(ASIC)内で結合することさえできる。代替的なソフトウェアベースの実装として、ＲＡＮノード１０２2はメモリ１３４2、プロセッサ１３２2（マイクロプロセッサ、マイクロコントローラまたはデジタル信号プロセッサ（ＤＳＰ）などを含むがそれに限られない）およびトランシーバ１２２2を含んでよい。メモリ１３４2は、プロセッサ１３２2により実行可能なマシン可読プログラムコードを格納し、ＲＡＮノード１０２2に上述した方法１０００のステップを実行させる。注：その他のＲＡＮノード１０２1（加えて不図示の他のＲＡＮノード）はＲＡＮノード１０２2と同じに構成されてよい。
【０１０７】
図１１を参照すると、本開示の実施形態に従ってＲＡＮノード１０２2（例えばＢＳＳ１０２2、ｅＮＢ１０２2）およびＭＳ１０４2（例えば無線デバイス１０４2、ＭＴＣデバイス１０４2、ＣＩｏＴデバイス１０４2）と通信するよう構成されたＣＮノード１０７（例えばＳＧＳＮ１０７、ＭＭＥ１０７、Ｃ−ＳＧＮ１０７）に実装された方法１１００のフローチャートがある。ステップ１１０２で、ＣＮノード１０７は、ＲＡＮノード１０２2から、ＭＳ１０４2により例外報告として送信されたデータと、ＭＳ１０４2が高優先度の例外報告としてデータを送信したことの表示とを受信する。第１の実施形態において、その表示はＲＡＮノード１０２2から、ＭＳ１０４2により送信された第１のＰＤＵを搬送する第２のＰＤＵに含まれたＩＥ中で受信される。そのＩＥは、ＭＳ１０４2により送信されたＬＬＣ  ＰＤＵを搬送するＵＬ−ＵＮＩＴＤＡＴＡ  ＰＤＵに含まれた例外報告フラグ(Exception Report Flag)であってよい。もう一つの実施形態において、その表示はＲＡＮノード１０２2からＵＬ−ＵＮＩＴＤＡＴＡ  ＰＤＵ  ＩＥ中の未使用のコードポイントを用いて受信される。例えば、その表示は、上で参照した３ＧＰＰ  ＴＳ４８．０１８のテーブル１１．３．２８．ｂの更新版に示されたように、ＱｏＳプロファイルＩＥのうちの優先(Precedence)フィールドの以前は未使用のコードポイン１０１を用いて受信されてよい。さらなる実施形態において、表示は、ＭＳ１０４2によりＲＡＮノード１０２2へと送信されたＬＬＣ  ＰＤＵに含まれた未使用のＳＡＰＩ値を用いてシグナリングされてよく、その表示は次にＲＡＮノード１０２2から、ＬＬＣ  ＰＤＵを搬送するＵＬ−ＵＮＩＴＤＡＴＡ  ＰＤＵ中で受信される。例えば、その表示は、テーブル１中の修正したＳＡＰＩ値の割り当てに示したように、以前は未使用のＳＡＰＩ値１０１０を用いてシグナリングされてよい。
【０１０８】
ステップ１１０４では、ＣＮノード１０７は１以上の動作を前記表示の受信に応じて実行する。一実施形態において、ステップ１１０４Ａで、１以上の動作を実行することは、高優先度の例外報告として送信されたデータの量に関する情報を用いることを含み、事業者のポリシー又はビジネス上の契約に従ってＭＳ１０４2に関連付けられた課金データレコード（ＣＤＲ）の調整を可能にする。代替的に或いは追加的に、ステップ１１０４Ｂでは、ＣＮ１０７は、ネットワーク１００内のＲＡＮノード１０２2及びＭＳ１０４2と通信するよう構成され、１以上の動作を実行することは、例外報告の使用が禁止された場合に、ネットワーク１００からＭＳ１０４2の切り離しを開始することを含む。代替的に或いは追加的に、ステップ１１０４Ｃでは、ＣＮ１０７はさらに、もう一つのＣＮノード１０７'（例えばＧＧＳＮ１０７'、Ｓ−ＧＷ１０７'、Ｐ−ＧＷ１０７'）と通信するよう構成され、１以上の動作を実行することは、ＧＰＲＳトンネリングプロトコル（ＧＴＰ）を介して高優先度の例外報告としてＭＳ１０４2がデータを送信したことの表示を、もう一つのＣＮノード１０７'へと送信することを含む。ＧＴＰを介するもう一つのＣＮノード１０７'への表示の送信は、もう一つのＣＮノード１０７'に１以上の動作を実行させる。一実施形態において、表示の送信は、もう一つのＣＮノード１０７'に、事業者のポリシーまたはビジネス上の契約に従ってＭＳ１０４2に関連付けられたＣＤＲを調整させる。もう一つの例において、表示の送信は、もう一つのＣＮノード１０７'に、ポリシーおよび課金制御（ＰＣＣ）アーキテクチャへと、ＭＳ１０４2の例外報告の使用を報告させる。
【０１０９】
図１２を参照すると、本開示の実施形態に従う例示的なＣＮノード１０７（例えばＳＧＳＮ１０７、ＭＭＥ１０７、Ｃ−ＳＧＮ１０７）の構造を示すブロック図がある。一実施形態において、ＣＮノード１０７は受信モジュール１２０２および実行モジュール１２０４4を含む。受信モジュール１２０２は、RANノード１０２2（例えばＢＳＳ１０２2、ｅＮＢ１０２2）から、ＭＳ１０４2（例えば無線デバイス１０４2、ＭＴＣデバイス１０４2、ＣＩｏＴデバイス１０４2）により例外報告として送信されたデータと、ＭＳ１０４2が高優先度の例外報告としてデータを送信したことの表示とを受信するよう構成される。実行モジュール１２０４は１以上の動作を前記表示の受信に応じて実行するよう構成される。一実施形態において、実行モジュール１２０４は使用モジュール１２０４Ａを含み、それは、高優先度の例外報告として送信されたデータの量に関する情報を用いるよう構成され、事業者のポリシー又はビジネス上の契約に従ってＭＳ１０４2に関連付けられた課金データレコード（ＣＤＲ）の調整を可能にする。代替的に或いは追加的に、ＣＮ１０７は、ネットワーク１００内のＲＡＮノード１０２2及びＭＳ１０４2と通信するよう構成され、実行モジュール１２０４は、例外報告の使用が禁止された場合に、ネットワーク１００からＭＳ１０４2の切り離しを開始するよう構成されたトリガモジュール１２０４Ｂを含む。代替的に或いは追加的に、ＣＮ１０７はさらに、もう一つのＣＮノード１０７'（例えばＧＧＳＮ１０７'、Ｓ−ＧＷ１０７'、Ｐ−ＧＷ１０７'）と通信するよう構成され、実行ジュール１２０４は、ＧＴＰを介して、高優先度の例外報告としてMS１０４2がデータを送信したことの表示を、もう一つのＣＮノード１０７'へと送信するよう構成された送信モジュール１２０４Ｃを含む。ＧＴＰを介するもう一つのＣＮノード１０７'への表示の送信は、もう一つのＣＮノード１０７'に１以上の動作を実行させる。加えて、ＲＡＮノード１０７はまた、公知の他のコンポーネント、モジュールまたは構造を含んでよいことに注意すべきであるが、明瞭さのために、本開示の特徴を説明するために必要なコンポーネント、モジュールまたは構造のみがここでは説明される。
【０１１０】
当業者が理解するであろうように、ＣＮノード１０７の上述したモジュール１２０２、１２０４、１２０４Ａ、１２０４Ｂ、１２０４Ｃは、適切な専用回路として別々に実装されてよい。さらに、モジュール１２０２、１２０４、１２０４Ａ、１２０４Ｂ、１２０４Ｃは、機能的な結合または分離を通して任意の数の専用回路を用いて実施することもできる。いくつかの実施形態においては、モジュール１２０２、１２０４、１２０４Ａ、１２０４Ｂ、１２０４Ｃは、ひとつの特定用途集積回路（ＡＳＩＣ）内で結合することさえできる。代替的なソフトウェアベースの実装として、ＣＮノード１０７はメモリ１４８、プロセッサ１４６（マイクロプロセッサ、マイクロコントローラまたはデジタル信号プロセッサ（ＤＳＰ）などを含むがそれに限られない）およびトランシーバ１３６を含んでよい。メモリ１４８は、プロセッサ１４６により実行可能なマシン可読プログラムコードを格納し、ＲＡＮノード１０７に上述した方法１１００のステップを実行させる。注：その他のＣＮノードがＣＮノード１０７と同じに構成されてよい。
【０１１１】
前述を考慮して、当業者は本開示が多くの利点を有することを理解するであろう。そのいくつかは以下のとおりである。
【０１１２】
ＣＮノードは、ＭＳが、無線インターフェイス上で高優先度の報告として処理された報告をいつ送信したかを知る。言い換えるとこれは、ＣＮノードはこの情報を課金目的または、無線インターフェイスを越えて送信されたときに例外報告として処理されたアップリンクデータ送信の誤用を制限する他の手段のために使用できることを意味する。
【０１１３】
ＲＡＮノードは、ＭＳが無線インターフェイス上での高優先度の報告として処理される報告の送信をいつ要求しているかを知らされる。言い換えるとこれは、ＲＡＮノードはこの情報を、そのような送信のサポートにおける無線リソースの割り当ての優先度付けのために使用できることを意味する。
【０１１４】
当業者は用語「例示的な」がここでは「説明的な」又は「例として役立つ」の意味で用いられ、特定の実施形態が他よりも好適であること、または特定の特徴が必須であることを意味するものではない。同様に、用語「第１」および「第２」及び同様の用語は、単に一つの事項または機能の特定の事例をその他から区別するために用いられ、文脈が明確にそのほかを示さない限り、特定の順序や配列を示すものではない。さらに、ここで用いられた用語「ステップ」は、「操作」又は「動作」と同義を意味する。ステップのシーケンスの本明細書におけるいかなる説明も、説明された動作の文脈又は詳細が明確にそのほかを示さない限り、これらの動作が特定の順序で実行されねばならないことを意味せず、あるいはこれら動作がいかなる順序で実行されることさえ全く意味しない。
【０１１５】
もちろん、本開示は、本発明の範囲及び本質的な特徴から逸脱することなく、本明細書で説明した方法ではない特定の方法で実行してよい。上述した１以上の特定のプロセスが、１以上の適当に構成された処理回路を含むセルラ電話または他の通信トランシーバ内で実行されてよく、それらはいくつかの実施形態において１以上の特定用途向集積回路（ＡＳＩＣ）内で具体化されてよい。いくつかの実施形態において、これらの処理回路は、上述した１以上の動作またはその変形を実行するため、適切なソフトウェア及び／又はファームウエアがプログラムされた１以上のマイクロプロセッサ、マイクロコントローラ及び／又はデジタル信号プロセッサを含む。いくつかの実施形態において、これら処理回路は上述した１以上の機能を実行するためのカスタム化したハードウェアを含んでよい。それゆえ本実施形態はあらゆる点において説明であり限定ではないとみなされるべきである。
【０１１６】
本開示の複数の実施形態が添付図面において示され、上述した詳細な説明において説明されているけれども、本発明は開示された実施形態に限定されず、そうではなくそれに代えて、説明し、かつ以下の特許請求の範囲に定めた本開示から逸脱することなしに、多くの再構成、変形および代用が可能であることも理解されるはずである。
【図１】
2019505108.tif 000007
【図２】
2019505108.tif 000008
【図３】
2019505108.tif 000009
【図４】
2019505108.tif 000010
【図５】
2019505108.tif 000011
【図６】
2019505108.tif 000012
【図７】
2019505108.tif 000013
【図８】
2019505108.tif 000014
【図９】
2019505108.tif 000015
【図１０】
2019505108.tif 000016
【図１１】
2019505108.tif 000017
【図１２】
2019505108.tif 000018
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
移動局（１０４2）およびコアネットワーク（ＣＮ）ノード（１０７）と通信するよう構成された無線アクセスネットワーク（ＲＡＮ）ノード（１０２2）であって、
プロセッサ(１３２2)と、
プロセッサ実行可能命令を格納するメモリ（１３４2）とを有し、前記プロセッサは前記メモリと連結して前記プロセッサ実行可能命令を実行し、それによって前記RＡＮノードが、
前記移動局から、要求された送信が高優先度であることの表示を含むチャネル要求（２０２）を受信し（９０２）、
データを送信するために無線リソースを前記移動局へと割り当て（９０４）、
割り当てられた前記無線リソース上で例外報告として送信されたデータ（２０６）を前記移動局から受信し（９０６）、
前記移動局により送信されたデータおよび前記移動局が高優先度の例外報告としてデータを送信したことの表示を前記ＣＮノードへと送信する（９０８）、ＲＡＮノード。
【請求項２】
請求項１に記載のＲＡＮノードであって、前記表示は、前記移動局により送信された第１のプロトコルデータユニット（ＰＤＵ）を搬送する第２のＰＤＵに含まれた情報要素（ＩＥ）中で前記ＣＮノードへ送信される、ＲＡＮノード。
【請求項３】
請求項２に記載のＲＡＮノードであって、前記ＩＥは、前記移動局により送信された論理リンク制御ＬＬＣ  ＰＤＵを搬送するアップリンク（ＵＬ）−ＵＮＩＴＤＡＴＡ  ＰＤＵに含まれた例外報告フラグである、ＲＡＮノード。
【請求項４】
請求項３に記載のＲＡＮノードであって、前記ＬＬＣ  ＰＤＵは、ＥＣ−ＥＧＰＲＳパケットチャネル要求(EC-EGPRS PACKET CHANNEL REQUEST)メッセージ又は、チャネル要求を含むＥＣ−ＥＧＰＲＳパケットダウンリンクＡＣＫ／ＮＡＣＫ(EC-EGPRS PACKET DOWNLINK ACK/NACK)メッセージに応じて確立されたアップリンクＥＣ−ＥＧＰＲＳ一時ブロックフロー（EC-EGPRS Temporary Block Flow）（ＴＢＦ）を用いて前記移動局により送信された、ＲＡＮノード。
【請求項５】
請求項１に記載のＲＡＮノードであって、割り当てられた前記無線リソース上で例外報告として送信されたデータを前記移動局から受信するように動作可能な前記ＲＡＮノードは、前記移動局が高優先度の例外報告としてデータを送信したことの表示を前記移動局から受信する（９０７）ようにさらに動作可能な前記ＲＡＮノードを含み、前記表示は、前記移動局により送信された論理リンク制御（ＬＬＣ）プロトコルデータユニット（ＰＤＵ）に含まれた未使用のサービスアクセスポイント識別子（Service Access Point Identifier）（ＳＡＰＩ）値を用いてシグナリングされ、かつ前記表示は、前記ＣＮノードへと前記ＬＬＣ  ＰＤＵを搬送するアップリンク（ＵＬ）−ＵＮＩＴＤＡＴＡ  ＰＤＵ中で送信される、ＲＡＮノード。
【請求項６】
請求項１に記載のＲＡＮノードであって、前記表示は、前記ＣＮノードへと、アップリンク（ＵＬ）−ＵＮＩＴＤＡＴＡプロトコルデータユニット（ＰＤＵ）の情報要素（ＩＥ）中の未使用のコードポイントを用いて送信される、ＲＡＮノード。
【請求項７】
移動局（１０４2）およびコアネットワーク（ＣＮ）ノード（１０７）と通信するよう構成された無線アクセスネットワーク（ＲＡＮ）ノード（１０２2）における方法（９００）であって、
前記移動局から、要求された送信が高優先度であることの表示を含むチャネル要求（２０２）を受信し（９０２）、
データを送信するために無線リソースを前記移動局へと割り当て（９０４）、
割り当てられた前記無線リソース上で例外報告として送信されたデータ（２０６）を前記移動局から受信し（９０６）、
前記移動局により送信されたデータおよび前記移動局が高優先度の例外報告としてデータを送信したことの表示を前記ＣＮノードへと送信する（９０８）、方法。
【請求項８】
請求項７に記載の方法であって、前記表示は、前記移動局により送信された第１のプロトコルデータユニット（ＰＤＵ）を搬送する第２のＰＤＵに含まれた情報要素（ＩＥ）中で前記ＣＮノードへ送信される、方法。
【請求項９】
請求項８に記載の方法であって、前記ＩＥは、前記移動局により送信された論理リンク制御ＬＬＣ  ＰＤＵを搬送するアップリンク（ＵＬ）−ＵＮＩＴＤＡＴＡ  ＰＤＵに含まれた例外報告フラグである、方法。
【請求項１０】
請求項９に記載の方法であって、前記ＬＬＣ  ＰＤＵは、ＥＣ−ＥＧＰＲＳパケットチャネル要求(EC-EGPRS PACKET CHANNEL REQUEST)メッセージ又は、チャネル要求を含むＥＣ−ＥＧＰＲＳパケットダウンリンクＡＣＫ／ＮＡＣＫ(EC-EGPRS PACKET DOWNLINK ACK/NACK)メッセージに応じて確立されたアップリンクＥＣ−ＥＧＰＲＳ一時ブロックフロー（EC-EGPRS Temporary Block Flow）（ＴＢＦ）を用いて前記移動局により送信された、方法。
【請求項１１】
請求項７に記載の方法であって、割り当てられた前記無線リソース上で例外報告として送信されたデータを前記移動局から受信することは、前記移動局が高優先度の例外報告としてデータを送信したことの表示を前記移動局からさらに受信すること（９０７）を含み、前記表示は、前記移動局により送信された論理リンク制御（ＬＬＣ）プロトコルデータユニット（ＰＤＵ）に含まれた未使用のサービスアクセスポイント識別子（Service Access Point Identifier）（ＳＡＰＩ）値を用いてシグナリングされ、かつ前記表示は、前記ＣＮノードへと前記ＬＬＣ  ＰＤＵを搬送するアップリンク（ＵＬ）−ＵＮＩＴＤＡＴＡ  ＰＤＵ中で送信される、方法。
【請求項１２】
請求項７に記載の方法であって、前記表示は、前記ＣＮノードへと、アップリンク（ＵＬ）−ＵＮＩＴＤＡＴＡプロトコルデータユニット（ＰＤＵ）の情報要素（ＩＥ）中の未使用のコードポイントを用いて送信される、方法。
【請求項１３】
無線アクセスネットワーク（ＲＡＮ）ノード（１０２2）および移動局（１０４2）と通信するよう構成されたコアネットワーク（ＣＮ）ノード（１０７）であって、
プロセッサ（１４６）と、
プロセッサ実行可能命令を格納するメモリ（１４８）とを有し、前記プロセッサは前記メモリと連結して前記プロセッサ実行可能命令を実行し、それによって前記ＣＮノードが、
前記移動局により送信されたデータおよび前記移動局が高優先度の例外報告としてデータを送信したことの表示を前記ＲＡＮノードから受信し（１１０２）、
１以上の動作を前記表示の受信に応じて実行する（１１０４）、ＣＮノード。
【請求項１４】
請求項１３に記載のＣＮノードであって、前記表示は、前記移動局により送信された第１のプロトコルデータユニット（ＰＤＵ）を搬送する第２のＰＤＵに含まれた情報要素（ＩＥ）中で前記ＲＡＮノードから受信する、ＣＮノード。
【請求項１５】
請求項１４に記載のＣＮノードであって、前記ＩＥは、前記移動局により送信された論理リンク制御ＬＬＣ  ＰＤＵを搬送するアップリンク（ＵＬ）−ＵＮＩＴＤＡＴＡ  ＰＤＵに含まれた例外報告フラグである、ＣＮノード。
【請求項１６】
請求項１３に記載のＣＮノードであって、前記表示は、前記移動局により送信された論理リンク制御（ＬＬＣ）プロトコルデータユニット（ＰＤＵ）に含まれた未使用のサービスアクセスポイント識別子（Service Access Point Identifier）（ＳＡＰＩ）値を用いて前記ＲＡＮノードへとシグナリングされ、かつ前記表示は、前記ＬＬＣ  ＰＤＵを搬送するアップリンク（ＵＬ）−ＵＮＩＴＤＡＴＡ  ＰＤＵ中で前記ＲＡＮノードから受信される、ＣＮノード。
【請求項１７】
請求項１３に記載のＣＮノードであって、前記１以上の動作は、高優先度の例外報告として送信されたデータの量に関する情報を用いること（１１０４Ａ）を含み、事業者のポリシー又はビジネス上の契約に従って前記移動局に関連付けられた課金データレコード（ＣＤＲ）の調整を可能にする、ＣＮノード。
【請求項１８】
請求項１３に記載のＣＮノードであって、前記ＣＮノードは、ネットワーク（１００）内の前記RANノード及び前記移動局と通信するよう構成され、前記１以上の動作は、例外報告の使用が禁止された場合に、前記ネットワークから前記移動局の切り離しを開始すること（１１０４Ｂ）を含む、ＣＮノード。
【請求項１９】
請求項１３に記載のＣＮノードであって、前記ＣＮノードはさらに、もう一つのＣＮノード（１０７'）と通信するよう構成され、前記1以上の動作は、ＧＰＲＳトンネリングプロトコル（ＧＴＰ）を介して前記もう一つのＣＮノードへと、前記移動局が高優先度の前記例外報告としてデータを送信したことの表示を送信すること（１１０４Ｃ）を含む、ＣＮノード。
【請求項２０】
請求項１９に記載のＣＮノードであって、ＧＴＰを介する前記もう一つのＣＮノードへの前記表示の送信は、前記もう一つのＣＮノードに、事業者のポリシー及びビジネス上の契約に従って前記移動局と関連付けられた課金データレコード（Charging Data Records）（ＣＤＲ）を調整させる、ＣＮノード。
【請求項２１】
請求項１９に記載のＣＮノードであって、ＧＴＰを介する前記もう一つのＣＮノードへの前記表示の送信は、前記もう一つのＣＮノードに、ポリシー及び課金制御（Policy and Charging Control）（ＰＣＣ)へと前記移動局の例外報告の使用を報告させる、ＣＮノード。
【請求項２２】
無線アクセスネットワーク（ＲＡＮ）ノード（１０２2）および移動局（１０４2）と通信するよう構成されたコアネットワーク（ＣＮ）ノード（１０７）における方法であって、
前記移動局により送信されたデータおよび前記移動局が高優先度の例外報告としてデータを送信したことの表示を前記ＲＡＮノードから受信し（１１０２）、
１以上の動作を前記表示の受信に応じて実行する（１１０４）、方法。
【請求項２３】
請求項２２に記載の方法であって、前記表示は、前記移動局により送信された第１のプロトコルデータユニット（ＰＤＵ）を搬送する第２のＰＤＵに含まれた情報要素（ＩＥ）中で前記ＲＡＮノードから受信する、方法。
【請求項２４】
請求項２３に記載の方法であって、前記ＩＥは、前記移動局により送信された論理リンク制御ＬＬＣ  ＰＤＵを搬送するアップリンク（ＵＬ）−ＵＮＩＴＤＡＴＡ  ＰＤＵに含まれた例外報告フラグである、方法。
【請求項２５】
請求項２２に記載の方法であって、前記表示は、前記移動局により送信された論理リンク制御（ＬＬＣ）プロトコルデータユニット（ＰＤＵ）に含まれた未使用のサービスアクセスポイント識別子（Service Access Point Identifier）（ＳＡＰＩ）値を用いて前記ＲＡＮノードへとシグナリングされ、かつ前記表示は、前記ＬＬＣ  ＰＤＵを搬送するアップリンク（ＵＬ）−ＵＮＩＴＤＡＴＡ  ＰＤＵ中で前記ＲＡＮノードから受信される、方法。
【請求項２６】
請求項２２に記載の方法であって、１以上の動作を実行することは、高優先度の例外報告として送信されたデータの量に関する情報を用いること（１１０４Ａ）を含み、事業者のポリシー又はビジネス上の契約に従って前記移動局に関連付けられた課金データレコード（ＣＤＲ）の調整を可能にする、方法。
【請求項２７】
請求項１３に記載の方法であって、前記ＣＮノードは、ネットワーク（１００）内の前記ＲＡＮノード及び前記移動局と通信するよう構成され、１以上の動作を実行することは、例外報告の使用が禁止された場合に、前記ネットワークから前記移動局の切り離しを開始すること（１１０４Ｂ）を含む、方法。
【請求項２８】
請求項１３に記載の方法であって、前記ＣＮノードはさらに、もう一つのＣＮノード（１０７'）と通信するよう構成され、1以上の動作を実行することは、ＧＰＲＳトンネリングプロトコル（ＧＴＰ）を介して前記もう一つのＣＮノードへと、前記移動局が高優先度の前記例外報告としてデータを送信したことの表示を送信すること（１１０４Ｃ）を含む、方法。
【請求項２９】
請求項２８に記載の方法であって、ＧＴＰを介する前記もう一つのＣＮノードへの前記表示の送信は、前記もう一つのＣＮノードに、事業者のポリシー及びビジネス上の契約に従って前記移動局と関連付けられた課金データレコード（Charging Data Records）（ＣＤＲ）を調整させる、方法。
【請求項３０】
請求項２８に記載の方法であって、ＧＴＰを介する前記もう一つのＣＮノードへの前記表示の送信は、前記もう一つのＣＮノードに、ポリシー及び課金制御（Policy and Charging Control）（ＰＣＣ)へと前記移動局の例外報告の使用を報告させる、方法。
【国際調査報告】
2019505108.tif 000019
2019505108.tif 000020
2019505108.tif 000021